(57)【要約】  本開示のいくつかの実施例は、ＰＤＣＣＨと前記ＰＤＣＣＨによりスケジュールされるＰＤＳＣＨとの所在するキャリア又は所在するＢＷＰのｎｕｍｅｒｏｌｏｇｙが異なる場合に、予め設定されたルールに基づいて現在使用されているスケジューリングオフセット閾値を決定することを含む、端末に適用されるスケジューリングパラメータの決定方法、設定方法、端末及びネットワーク側装置を提供する。
2021523656.tif 000002
【特許請求の範囲】
【請求項１】
端末に適用されるスケジューリングパラメータの決定方法であって、
物理ダウンリンク制御チャネル（ＰＤＣＣＨ）と前記ＰＤＣＣＨによりスケジュールされる物理ダウンリンク共有チャネル（ＰＤＳＣＨ）との所在するキャリア又は所在する帯域幅部分（ＢＷＰ）の数値設定（ｎｕｍｅｒｏｌｏｇｙ）が異なる場合に、予め設定されたルールに基づいて現在使用されているスケジューリングオフセット閾値を決定することを含む、スケジューリングパラメータの決定方法。
【請求項２】
前記ｎｕｍｅｒｏｌｏｇｙがキャリアに基づいて設定される場合に、前記予め設定されたルールは、
前記ＰＤＣＣＨの所在するキャリアの前記ｎｕｍｅｒｏｌｏｇｙに対応するスケジューリングオフセット閾値を、前記現在使用されているスケジューリングオフセット閾値とし、或いは
前記ＰＤＳＣＨの所在するキャリアの前記ｎｕｍｅｒｏｌｏｇｙに対応するスケジューリングオフセット閾値を、前記現在使用されているスケジューリングオフセット閾値とし、或いは
前記ＰＤＣＣＨ又は前記ＰＤＳＣＨの所在するキャリアの前記ｎｕｍｅｒｏｌｏｇｙにおける最大又は最小のサブキャリア間隔に対応するスケジューリングオフセット閾値を、前記現在使用されているスケジューリングオフセット閾値とすることを含み、
前記ｎｕｍｅｒｏｌｏｇｙがＢＷＰに基づいて設定される場合に、前記予め設定されたルールは、
前記ＰＤＣＣＨの所在するＢＷＰの前記ｎｕｍｅｒｏｌｏｇｙに対応するスケジューリングオフセット閾値を、前記現在使用されているスケジューリングオフセット閾値とし、或いは
前記ＰＤＳＣＨの所在するＢＷＰの前記ｎｕｍｅｒｏｌｏｇｙに対応するスケジューリングオフセット閾値を、前記現在使用されているスケジューリングオフセット閾値とし、或いは
前記ＰＤＣＣＨ又は前記ＰＤＳＣＨの所在するＢＷＰの前記ｎｕｍｅｒｏｌｏｇｙにおける最大又は最小のサブキャリア間隔に対応するスケジューリングオフセット閾値を、前記現在使用されているスケジューリングオフセット閾値とすることを含み、
前記ｎｕｍｅｒｏｌｏｇｙは、サブキャリア間隔を含む、請求項１に記載のスケジューリングパラメータの決定方法。
【請求項３】
前記予め設定されたルールは、ネットワーク側装置により設定されるか又はプロトコルによって規定される、請求項１又は２に記載のスケジューリングパラメータの決定方法。
【請求項４】
前記予め設定されたルールに基づいて現在使用されているスケジューリングオフセット閾値を決定することの後に、
前記ＰＤＣＣＨの受信時間と前記ＰＤＣＣＨによりスケジュールされるＰＤＳＣＨの受信時間との時間オフセットを、前記現在使用されているスケジューリングオフセット閾値と比較し、比較結果に基づいて、前記ＰＤＳＣＨの疑似コロケーション（ＱＣＬ）情報を決定することと、
前記ＰＤＳＣＨのＱＣＬ情報に基づいて、前記ＰＤＳＣＨを受信することと、をさらに含む、請求項１に記載のスケジューリングパラメータの決定方法。
【請求項５】
前記予め設定されたルールに基づいて現在使用されているスケジューリングオフセット閾値を決定することの前に、
前記端末が前記ＰＤＣＣＨを受信してから前記ＰＤＣＣＨにおけるダウンリンク制御情報（ＤＣＩ）によって指示されるＱＣＬ情報を前記ＰＤＣＣＨによりスケジュールされるＰＤＳＣＨに適用するまでに要する最小シンボル数である、前記端末がサポートしている一部又は全部サブキャリア間隔の時間オフセット情報を含む前記端末の能力パラメータ情報をネットワーク側装置に報告することと、
前記時間オフセット情報に基づいて得られる、前記端末が報告したサブキャリア間隔に対応するスケジューリングオフセット閾値を含む設定情報を前記ネットワーク側装置から受信することと、
所在するキャリア及び／又はＢＷＰが前記ネットワーク側装置により設定される前記ＰＤＣＣＨを前記ネットワーク側装置から受信することと、
前記ＰＤＣＣＨにおけるＤＣＩに基づいて、前記ＰＤＳＣＨを受信するキャリア及び／又はＢＷＰを決定することと、をさらに含み、
前記予め設定されたルールに基づいて現在使用されているスケジューリングオフセット閾値を決定することは、
前記設定情報と、前記予め設定されたルールと、前記ＰＤＣＣＨ及び前記ＰＤＳＣＨを受信するキャリア及び／又はＢＷＰとに基づいて、前記現在使用されているスケジューリングオフセット閾値を決定することを含む、請求項１に記載のスケジューリングパラメータの決定方法。
【請求項６】
前記能力パラメータ情報は、
前記端末がキャリアアグリゲーションにおいて同じｎｕｍｅｒｏｌｏｇｙのクロスキャリアスケジューリングをサポートするか否か、
前記端末がキャリアアグリゲーションにおいて異なるｎｕｍｅｒｏｌｏｇｙのクロスキャリアスケジューリングをサポートするか否か、
前記端末が同じｎｕｍｅｒｏｌｏｇｙのクロスＢＷＰスケジューリングをサポートするか否か、及び
前記端末が異なるｎｕｍｅｒｏｌｏｇｙのクロスＢＷＰスケジューリングをサポートするか否かのうちの少なくとも１つをさらに含む、請求項５に記載のスケジューリングパラメータの決定方法。
【請求項７】
前記ＰＤＣＣＨと前記ＰＤＣＣＨによりスケジュールされるＰＤＳＣＨとの所在するキャリア又は所在するＢＷＰのｎｕｍｅｒｏｌｏｇｙが同じである場合に、同じ前記ｎｕｍｅｒｏｌｏｇｙに対応するスケジューリングオフセット閾値を、前記現在使用されているスケジューリングオフセット閾値とすることをさらに含む、請求項１に記載のスケジューリングパラメータの決定方法。
【請求項８】
ネットワーク側装置に適用されるスケジューリングパラメータの設定方法であって、
物理ダウンリンク制御チャネル（ＰＤＣＣＨ）と前記ＰＤＣＣＨによりスケジュールされる物理ダウンリンク共有チャネル（ＰＤＳＣＨ）との所在するキャリア又は所在する帯域幅部分（ＢＷＰ）の数値設定（ｎｕｍｅｒｏｌｏｇｙ）が異なる場合に、端末が予め設定されたルールに基づいて現在使用されているスケジューリングオフセット閾値を決定するように、前記端末に前記予め設定されたルールを送信することを含む、スケジューリングパラメータの決定方法。
【請求項９】
前記ｎｕｍｅｒｏｌｏｇｙがキャリアに基づいて設定される場合に、前記予め設定されたルールは、
前記ＰＤＣＣＨの所在するキャリアの前記ｎｕｍｅｒｏｌｏｇｙに対応するスケジューリングオフセット閾値を、前記現在使用されているスケジューリングオフセット閾値とし、或いは
前記ＰＤＳＣＨの所在するキャリアの前記ｎｕｍｅｒｏｌｏｇｙに対応するスケジューリングオフセット閾値を、前記現在使用されているスケジューリングオフセット閾値とし、或いは
前記ＰＤＣＣＨ又は前記ＰＤＳＣＨの所在するキャリアの前記ｎｕｍｅｒｏｌｏｇｙにおける最大又は最小のサブキャリア間隔に対応するスケジューリングオフセット閾値を、前記現在使用されているスケジューリングオフセット閾値とすることを含み、
前記ｎｕｍｅｒｏｌｏｇｙがＢＷＰに基づいて設定される場合に、前記予め設定されたルールは、
前記ＰＤＣＣＨの所在するＢＷＰの前記ｎｕｍｅｒｏｌｏｇｙに対応するスケジューリングオフセット閾値を、前記現在使用されているスケジューリングオフセット閾値とし、或いは
前記ＰＤＳＣＨの所在するＢＷＰの前記ｎｕｍｅｒｏｌｏｇｙに対応するスケジューリングオフセット閾値を、前記現在使用されているスケジューリングオフセット閾値とし、或いは
前記ＰＤＣＣＨ又は前記ＰＤＳＣＨの所在するＢＷＰの前記ｎｕｍｅｒｏｌｏｇｙにおける最大又は最小のサブキャリア間隔に対応するスケジューリングオフセット閾値を、前記現在使用されているスケジューリングオフセット閾値とすることを含み、
前記ｎｕｍｅｒｏｌｏｇｙは、サブキャリア間隔を含む、請求項８に記載のスケジューリングパラメータの決定方法。
【請求項１０】
前記端末が前記ＰＤＣＣＨを受信してから前記ＰＤＣＣＨにおけるダウンリンク制御情報（ＤＣＩ）によって指示される疑似コロケーション（ＱＣＬ）情報を前記ＰＤＣＣＨによりスケジュールされるＰＤＳＣＨに適用するまでに要する最小シンボル数である、前記端末がサポートしている一部又は全部サブキャリア間隔の時間オフセット情報を含む前記端末の能力パラメータ情報を受信することと、
前記時間オフセット情報に基づいて得られる、前記端末が報告したサブキャリア間隔に対応するスケジューリングオフセット閾値を含む設定情報を前記端末に送信することと、
所在するキャリア及び／又はＢＷＰが前記ネットワーク側装置により設定される前記ＰＤＣＣＨを前記端末に送信することと、
前記ＰＤＣＣＨによりスケジュールされるＰＤＳＣＨを前記端末に送信することと、をさらに含む、請求項８に記載のスケジューリングパラメータの決定方法。
【請求項１１】
前記予め設定されたルールは、
前記ＰＤＣＣＨと前記ＰＤＣＣＨによりスケジュールされるＰＤＳＣＨとの所在するキャリア又は所在するＢＷＰのｎｕｍｅｒｏｌｏｇｙが同じである場合に、同じ前記ｎｕｍｅｒｏｌｏｇｙに対応するスケジューリングオフセット閾値を、前記現在使用されているスケジューリングオフセット閾値とすることをさらに含む、請求項８に記載のスケジューリングパラメータの決定方法。
【請求項１２】
物理ダウンリンク制御チャネル（ＰＤＣＣＨ）と前記ＰＤＣＣＨによりスケジュールされるＰＤＳＣＨとの所在するキャリア又は所在するＢＷＰのｎｕｍｅｒｏｌｏｇｙが異なる場合に、予め設定されたルールに基づいて現在使用されているスケジューリングオフセット閾値を決定する第１の決定モジュールを含む、端末。
【請求項１３】
ＰＤＣＣＨと前記ＰＤＣＣＨによりスケジュールされる物理ダウンリンク共有チャネル（ＰＤＳＣＨ）との所在するキャリア又は所在する帯域幅部分（ＢＷＰ）の数値設定（ｎｕｍｅｒｏｌｏｇｙ）が異なる場合に、端末が予め設定されたルールに基づいて現在使用されているスケジューリングオフセット閾値を決定するように、前記端末に前記予め設定されたルールを送信する第１の送信モジュールを含む、ネットワーク側装置。
【請求項１４】
プロセッサと、メモリと、前記メモリに記憶されて前記プロセッサ上で実行可能で、前記プロセッサによって実行されると、請求項１〜７のいずれか１項に記載のスケジューリングパラメータの決定方法を実現するコンピュータプログラムとを含む、端末。
【請求項１５】
プロセッサと、メモリと、前記メモリに記憶されて前記プロセッサ上で実行可能で、前記プロセッサによって実行されると、請求項８〜１１のいずれか１項に記載のスケジューリングパラメータの設定方法を実現するコンピュータプログラムとを含む、ネットワーク側装置。
【請求項１６】
プロセッサにより実行されると、請求項１〜７のいずれか１項に記載のスケジューリングパラメータの決定方法を実現し、或いは、プロセッサにより実行されると、請求項８〜１１のいずれか１項に記載のスケジューリングパラメータの設定方法を実現するコンピュータプログラムが記憶されている、コンピュータ読み取り可能な記憶媒体。
【発明の詳細な説明】
【技術分野】
【０００１】
本願は、２０１８年７月１２日に提出された中国特許出願第２０１８１０７６２９７１．８号の優先権を主張するものであり、その全ての内容は、参照により本願に組み込まれるものとする。
【０００２】
本開示のいくつかの実施例は、無線通信の技術分野に関し、特にスケジューリングパラメータの決定方法、設定方法、端末及びネットワーク側装置に関する。
【背景技術】
【０００３】
通信技術の発展に伴い、通信効率がますます注目されており、以下、通信効率を向上させるいくつかの技術点を紹介する。
【０００４】
１、マルチアンテナについて
ロングタームエボリューション（Ｌｏｎｇ  Ｔｅｒｍ  Ｅｖｏｌｕｔｉｏｎ、ＬＴＥと略称する）／ＬＴＥの発展型バージョン（ＬＴＥ−Ａｄｖａｎｃｅｄ、ＬＴＥ−Ａと略称する）などの無線アクセス技術仕様は、いずれも多入力多出力（Ｍｕｌｔｉｐｌｅ−Ｉｎｐｕｔ  Ｍｕｌｔｉｐｌｅ−Ｏｕｔｐｕｔ、ＭＩＭＯと略称する）＋直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭと略称する）技術に基づいて構築されている。ＭＩＭＯ技術は、マルチアンテナシステムで得られる空間自由度を利用して、ピークレートとシステムのスペクトル効率を向上させる。今後の５Ｇ移動通信システムでは、より大規模で、より多くのアンテナポートのＭＩＭＯ技術が導入されることが予想される。大規模（Ｍａｓｓｉｖｅ）ＭＩＭＯ技術は、大規模アンテナアレイを用いることにより、システムのスペクトル効率を大幅に向上させ、より多くのアクセスユーザをサポートすることができる。
【０００５】
ｍａｓｓｉｖｅ  ＭＩＭＯ技術では、フルデジタルアレイを用いると、最大化の空間分解能及び最適なマルチユーザＭＩＭＯ（Ｍｕｌｔｉ−Ｕｓｅｒ  ＭＩＭＯ、ＭＵ−ＭＩＭＯと略称する）性能を実現することができるが、このような構造は、大量のアナログデジタル／デジタルアナログ（ＡＤ／ＤＡ）コンバータ及び大量の完全な無線周波数−ベースバンド処理チャネルを必要とし、設備コストもベースバンド処理複雑度も大きな負担となる。
【０００６】
上記実現コストと設備複雑度を回避するために、従来のデジタルドメインビームフォーミングを基礎として、アンテナシステムに近いフロントエンドで、無線周波数信号に１段ビームフォーミングを追加するデジタルアナログハイブリッドビームフォーミング技術が登場した。アナログフォーミングは、簡単な方式で、送信信号とチャネルとの大まかなマッチングを実現することができる。アナログフォーミング後に形成される等価チャネルの次元は、実際のアンテナ数より小さいため、その後に必要なＡＤ／ＤＡコンバータ、デジタルチャネル数及び対応するベースバンド処理複雑度がいずれも大幅に低下することができる。アナログフォーミングで残留した一部の干渉をデジタルドメインで再び処理することにより、ＭＵ−ＭＩＭＯ伝送の品質を保証することができる。フルデジタルフォーミングに対して、デジタルアナログハイブリッドビームフォーミングは、性能と複雑度の折衷案であり、高周波数帯域、広い帯域幅、又は多数のアンテナを備えたシステムでの実用性が高い。
【０００７】
２、ビームの測定及び報告（ｂｅａｍ  ｍｅａｓｕｒｅｍｅｎｔ  ａｎｄ  ｂｅａｍ  ｒｅｐｏｒｔｉｎｇ）について
アナログビームフォーミングが全帯域幅で送信し、各高周波数アンテナアレイのパネル上の各偏波方向のアレイ素子が時分割多重方式のみでアナログビームを送信することができる。アナログビームのフォーミング重みは、無線周波数フロントエンドにおける移相器などの装置のパラメータを調整することにより実現される。
【０００８】
現在、学術界及び産業界では、一般的にポーリングという方式でアナログビームフォーミングベクトルのトレーニングを行い、即ち、各アンテナパネル上の各偏波方向のアレイ素子は、時分割多重方式で所定の時間にトレーニング信号（即ち、候補のフォーミングベクトル）を順次送信し、端末は、測定後にビーム報告をフィードバックすることにより、ネットワーク側がサービスを次回伝送するときに該トレーニング信号を使用してアナログビーム送信を実現する。ビーム報告の内容には、一般的に、最適な複数の送信ビーム識別子及び測定された各送信ビームの受信電力が含まれる。
【０００９】
３、帯域幅部分（ＢａｎｄＷｉｄｔｈ  Ｐａｒｔ、ＢＷＰと略称する）について
ＮＲ  Ｒｅｌ−１５において、各キャリアにおける最大のチャネル帯域幅（Ｃｈａｎｎｅｌ  Ｂａｎｄｗｉｄｔｈ）は、４００ＭＨｚである。しかし、端末（Ｕｓｅｒ  Ｅｑｕｉｐｍｅｎｔ、ＵＥと略称する）能力を考慮すると、ＵＥがサポートしている最大帯域幅は、４００ＭＨｚ未満であってよく、ＵＥは、複数の小さなＢＷＰで動作可能である。各帯域幅部分は、１つの数値設定（Ｎｕｍｅｒｏｌｏｇｙ）、帯域幅（ｂａｎｄｗｉｄｔｈ）及び周波数領域の位置（ｆｒｅｑｕｅｎｃｙ  ｌｏｃａｔｉｏｎ）に対応する。
【００１０】
４、ビーム指示（ｂｅａｍ  ｉｎｄｉｃａｔｉｏｎ）メカニズムについて
関連技術において、ネットワーク側は、無線リソース制御（Ｒａｄｉｏ  Ｒｅｓｏｕｒｃｅ  Ｃｏｎｔｒｏｌ、ＲＲＣと略称する）シグナリングによりＵＥに伝送設定指示（Ｔｒａｎｓｍｉｓｓｉｏｎ  Ｃｏｎｆｉｇｕｒａｔｉｏｎ  Ｉｎｄｉｃａｔｉｏｎ、ＴＣＩと略称する）状態と参照信号（Ｒｅｆｅｒｅｎｃｅ  Ｓｉｇｎａｌ、ＲＳと略称する）との対応関係を設定する。
【００１１】
ＴＣＩが物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨと略称する）の疑似コロケーション（Ｑｕａｓｉ−ｃｏｌｏｃａｔｉｏｎ、ＱＣＬと略称する）指示に用いられる場合に、ＵＥは、該ＴＣＩ状態に基づいて、どの受信ビームを用いてＰＤＣＣＨを受信するかを知ることができる。
【００１２】
ＴＣＩが物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨと略称する）のＱＣＬ指示に用いられる場合に、ＵＥは、該ＴＣＩ状態に基づいて、どの受信ビームを用いてＰＤＳＣＨを受信するかを知ることができる。
【００１３】
ＰＤＳＣＨ受信を行う際には、ＰＤＣＣＨの受信時間とＰＤＳＣＨの受信時間との時間オフセット（ｔｉｍｅ  ｏｆｆｓｅｔ）を、予め設定されたスケジューリングオフセット閾値（Ｔｈｒｅｓｈｏｌｄ−Ｓｃｈｅｄｕｌｅｄ−Ｏｆｆｓｅｔ）と比較し、比較結果に基づいて、ＰＤＳＣＨのＱＣＬ情報を決定し、かつＰＤＳＣＨのＱＣＬ情報に基づいて、上記ＰＤＳＣＨを受信する必要がある。
【００１４】
マルチキャリアシステムでは、ネットワーク側がＵＥに対してクロスキャリア又はクロスＢＷＰスケジューリングを行う可能性があるが、関連技術では、ネットワーク側がＵＥに対してクロスキャリア又はクロスＢＷＰスケジューリングを行う際に、ＵＥがこのときのスケジューリングオフセット閾値をどのように決定するかは言及されていない。
【発明の概要】
【００１５】
ネットワーク側でＵＥに対してクロスキャリア又はクロスＢＷＰスケジューリングを行う際にスケジューリングオフセット閾値を正確に決定できないという問題を解決するために、本開示のいくつかの実施例は、スケジューリングパラメータの決定方法、設定方法、端末及びネットワーク側装置を提供する。
【００１６】
上記技術的課題を解決するために、本開示は以下のように実現される。
【００１７】
第１の態様では、本開示のいくつかの実施例に係る、端末に適用されるスケジューリングパラメータの決定方法は、ＰＤＣＣＨと前記ＰＤＣＣＨによりスケジュールされるＰＤＳＣＨとの所在するキャリア又は所在するＢＷＰの数値設定ｎｕｍｅｒｏｌｏｇｙが異なる場合に、予め設定されたルールに基づいて現在使用されているスケジューリングオフセット閾値を決定することを含む。
【００１８】
第２の態様では、本開示のいくつかの実施例に係る、ネットワーク側装置に適用されるスケジューリングパラメータの設定方法は、ＰＤＣＣＨと前記ＰＤＣＣＨによりスケジュールされるＰＤＳＣＨとの所在するキャリア又は所在するＢＷＰのｎｕｍｅｒｏｌｏｇｙが異なる場合に、端末が予め設定されたルールに基づいて現在使用されているスケジューリングオフセット閾値を決定するように、前記端末に前記予め設定されたルールを送信することを含む。
【００１９】
第３の態様では、本開示のいくつかの実施例に係る端末は、ＰＤＣＣＨと前記ＰＤＣＣＨによりスケジュールされるＰＤＳＣＨとの所在するキャリア又は所在するＢＷＰのｎｕｍｅｒｏｌｏｇｙが異なる場合に、予め設定されたルールに基づいて現在使用されているスケジューリングオフセット閾値を決定する第１の決定モジュールを含む。
【００２０】
第４の態様では、本開示のいくつかの実施例に係るネットワーク側装置は、ＰＤＣＣＨと前記ＰＤＣＣＨによりスケジュールされるＰＤＳＣＨとの所在するキャリア又は所在するＢＷＰのｎｕｍｅｒｏｌｏｇｙが異なる場合に、端末が予め設定されたルールに基づいて現在使用されているスケジューリングオフセット閾値を決定するように、前記端末に前記予め設定されたルールを送信する第１の送信モジュールを含む。
【００２１】
第５の態様では、本開示のいくつかの実施例に係る端末は、プロセッサと、メモリと、前記メモリに記憶されて前記プロセッサ上で実行可能で、前記プロセッサによって実行されると、上記スケジューリングパラメータの決定方法を実現するコンピュータプログラムとを含む。
【００２２】
第６の態様では、本開示のいくつかの実施例に係るネットワーク側装置は、プロセッサと、メモリと、前記メモリに記憶されて前記プロセッサ上で実行可能で、前記プロセッサによって実行されると、上記スケジューリングパラメータの設定方法を実現するコンピュータプログラムとを含む。
【００２３】
第７の態様では、本開示のいくつかの実施例に係るコンピュータ読み取り可能な記憶媒体は、プロセッサにより実行されると、上記スケジューリングパラメータの決定方法を実現し、或いは、プロセッサにより実行されると、上記スケジューリングパラメータの設定方法を実現するコンピュータプログラムが記憶されている。
【００２４】
本開示のいくつかの実施例では、端末が受信したＰＤＣＣＨと前記ＰＤＣＣＨによりスケジュールされるＰＤＳＣＨとの所在するキャリア又は所在するＢＷＰのｎｕｍｅｒｏｌｏｇｙが異なる場合、即ちネットワーク側が端末に対してクロスキャリア又はクロスＢＷＰスケジューリングを行う場合に、予め設定されたルールに基づいて現在使用されているスケジューリングオフセット閾値を決定することができることにより、該スケジューリングオフセット閾値に基づいてＰＤＳＣＨのＱＣＬ情報を決定し、かつ決定されたＰＤＳＣＨのＱＣＬ情報に基づいてＰＤＳＣＨの正確な受信を保証することができる。
【００２５】
以下の好ましい実施形態の詳細な説明を読むことにより、他の様々な利点及び利益は当業者にとって明かになる。図面は、好ましい実施形態を示すことのみを目的とするものであり、本開示を限定するものと解釈されるべきではない。また、図面全体において、同じ参照符号は同じ部材を示す。
【図面の簡単な説明】
【００２６】
【図１】本開示のいくつかの実施例に係る無線通信システムのアーキテクチャ概略図である。
【図２】本開示のいくつかの実施例に係るスケジューリングパラメータの決定方法のフローチャートである。
【図３】本開示の別の実施例に係るスケジューリングパラメータの決定方法のフローチャートである。
【図４】本開示の更なる実施例に係るスケジューリングパラメータの決定方法のフローチャートである。
【図５】本開示のいくつかの実施例に係るスケジューリングパラメータの設定方法のフローチャートである。
【図６】本開示のいくつかの実施例に係る端末の概略構成図である。
【図７】本開示のいくつかの実施例に係るネットワーク側装置の概略構成図である。
【図８】本発明の別の実施例に係る端末の概略構成図である。
【図９】本開示の更なる実施例に係る端末の概略構成図である。
【図１０】本開示の更なる実施例に係るネットワーク側装置の概略構成図である。
【発明を実施するための形態】
【００２７】
以下、本開示のいくつかの実施例における図面を参照しながら、本開示のいくつかの実施例における技術手段を明確かつ完全的に説明する。明らかに、説明される実施例は、本開示の実施例の一部に過ぎず、全てではない。本開示の実施例に基づいて、当業者が創造的な労働をしない前提で得られる他の全ての実施例は、いずれも本開示の保護範囲に属するものである。
【００２８】
本願の明細書及び特許請求の範囲における用語「含む」及びその任意の変形は、非排他的な包含をカバーすることを意図し、例えば、一連のステップ又はユニットを含むプロセス、方法、システム、製品又は装置は、明確に示されたステップ又はユニットに限定されず、明確に示されていないか又はこれらのプロセス、方法、製品又は装置に固有の、他のステップ又はユニットを含んでもよい。また、明細書及び特許請求の範囲において使用される「及び／又は」は、接続している対象の少なくとも１つを表し、例えば、Ａ及び／又はＢは、Ａのみが存在すること、Ｂのみが存在すること、Ａ及びＢの両方が存在すること、の３つの場合を表す。
【００２９】
本開示のいくつかの実施例では、「例示的」又は「例えば」などの用語は、例、例証又は例示として表すためのものである。本開示のいくつかの実施例では、「例示的」又は「例えば」と説明される任意の実施例又は設計案は、他の実施例又は設計案よりも好ましい又は有利であると解釈されるべきではない。具体的には、使用される「例示的」又は「例えば」などの用語は、関連する概念を具体的に提示することを目的とする。
【００３０】
以下、図面を参照しながら、本開示の実施例を説明する。本開示のいくつかの実施例に係るスケジューリングパラメータの決定方法、設定方法、端末及びネットワーク側装置は、無線通信システムに適用することができる。該無線通信システムとしては、５Ｇシステム又は発展型ロングタームエボリューション（Ｅｖｏｌｖｅｄ  Ｌｏｎｇ  Ｔｅｒｍ  Ｅｖｏｌｕｔｉｏｎ、ｅＬＴＥと略称する）システム又は後続の発展型通信システムを採用してよい。
【００３１】
図１は本開示のいくつかの実施例に係る無線通信システムのアーキテクチャ概略図である。図１に示すように、該無線通信システムは、ネットワーク側装置１１及び端末１２を含んでよく、端末１２は、ネットワーク側装置１１と接続されてよい。実際の応用において、上記各装置間の接続は無線接続であってよく、各装置間の接続関係を簡単かつ直感的に表すために、図１において実線で示す。
【００３２】
なお、上記通信システムは、複数の端末１２を含んでよく、ネットワーク装置は、複数の端末１２と通信することができる（シグナリングを伝送するか又はデータを伝送する）。
【００３３】
本開示のいくつかの実施例に係るネットワーク側装置１１は、基地局であってもよく、該基地局は、一般的に使用される基地局であってもよく、発展型基地局（ｅｖｏｌｖｅｄ  ｎｏｄｅ  ｂａｓｅ  ｓｔａｔｉｏｎ、ｅＮＢと略称する）であってもよく、５Ｇシステムにおけるネットワーク側装置（例えば、次世代基地局（ｎｅｘｔ  ｇｅｎｅｒａｔｉｏｎ  ｎｏｄｅ  ｂａｓｅ  ｓｔａｔｉｏｎ、ｇＮＢと略称する）又は送受信ポイント（ｔｒａｎｓｍｉｓｓｉｏｎ  ａｎｄ  ｒｅｃｅｐｔｉｏｎ  ｐｏｉｎｔ、ＴＲＰと略称する））又はセルｃｅｌｌなどの装置であってもよい。或いは、後続の発展型通信システムにおけるネットワーク側装置であってもよい。もちろん、用語によって限定されない。
【００３４】
本開示のいくつかの実施例に係る端末１２は、携帯電話、タブレットコンピュータ、ノートブックコンピュータ、ウルトラモバイルパーソナルコンピュータ（Ｕｌｔｒａ−Ｍｏｂｉｌｅ  Ｐｅｒｓｏｎａｌ  Ｃｏｍｐｕｔｅｒ、ＵＭＰＣ）、ネットブック又はパーソナルデジタルアシスタント（Ｐｅｒｓｏｎａｌ  Ｄｉｇｉｔａｌ  Ａｓｓｉｓｔａｎｔ、ＰＤＡと略称する）などであってよい。当業者であれば理解されるように、用語によって限定されない。
【００３５】
図２は、本開示のいくつかの実施例に係るスケジューリングパラメータの決定方法のフローチャートであり、図２を参照すると、該スケジューリングパラメータの決定方法は、端末に適用され、以下のステップ２１を含む。
【００３６】
ステップ２１では、ＰＤＣＣＨと上記ＰＤＣＣＨによりスケジュールされるＰＤＳＣＨとの所在するキャリア又は所在するＢＷＰのｎｕｍｅｒｏｌｏｇｙが異なる場合に、予め設定されたルールに基づいて現在使用されているスケジューリングオフセット閾値を決定する。
【００３７】
本開示のいくつかの実施例では、スケジューリングパラメータは、スケジューリングオフセット閾値を含む。もちろん、他のパラメータを含んでよく、本開示のいくつかの実施例では、スケジューリングオフセット閾値の決定のみに関する。
【００３８】
本開示のいくつかの実施例では、端末が受信したＰＤＣＣＨと上記ＰＤＣＣＨによりスケジュールされるＰＤＳＣＨとの所在するキャリア又は所在するＢＷＰのｎｕｍｅｒｏｌｏｇｙが異なる場合、即ちネットワーク側が端末に対してクロスキャリア又はクロスＢＷＰスケジューリングを行う場合に、予め設定されたルールに基づいて現在使用されているスケジューリングオフセット閾値を決定することにより、該スケジューリングオフセット閾値に基づいてＰＤＳＣＨのＱＣＬ情報を決定し、かつ決定されたＰＤＳＣＨのＱＣＬ情報に基づいてＰＤＳＣＨの正確な受信を保証することができる。
【００３９】
本開示のいくつかの実施例では、ｎｕｍｅｒｏｌｏｇｙがキャリアに基づいて設定される場合（即ちネットワークが同じキャリア上の少なくとも１つのＢＷＰに設定する、サブキャリア間隔（ｓｕｂｃａｒｒｉｅｒ  ｓｐａｃｉｎｇ、ＳＣＳと略称する）、サイクリックプレフィックス（ｃｙｃｌｉｃ  ｐｒｅｆｉｘ、ＣＰと略称する）などのパラメータを含むｎｕｍｅｒｏｌｏｇｙが同じであり、このときにｎｕｍｅｒｏｌｏｇｙの情報はＢＷＰの設定情報にある。或いは、ネットワークがキャリアにｎｕｍｅｒｏｌｏｇｙ情報を設定し、このときにｎｕｍｅｒｏｌｏｇｙの情報はキャリアの設定情報にある。以下同様であり、説明を省略する。）、上記予め設定されたルールは、
上記ＰＤＣＣＨの所在するキャリアの上記ｎｕｍｅｒｏｌｏｇｙに対応するスケジューリングオフセット閾値を、上記現在使用されているスケジューリングオフセット閾値とし、或いは
上記ＰＤＳＣＨの所在するキャリアの上記ｎｕｍｅｒｏｌｏｇｙに対応するスケジューリングオフセット閾値を、上記現在使用されているスケジューリングオフセット閾値とし、或いは
上記ＰＤＣＣＨ又は上記ＰＤＳＣＨの所在するキャリアの上記ｎｕｍｅｒｏｌｏｇｙにおける最大又は最小のサブキャリア間隔に対応するスケジューリングオフセット閾値を、上記現在使用されているスケジューリングオフセット閾値とすることを含み、
ｎｕｍｅｒｏｌｏｇｙがＢＷＰに基づいて設定される場合（即ちネットワークが同じキャリア上の少なくとも１つのＢＷＰに配置する、サブキャリア間隔（ｓｕｂｃａｒｒｉｅｒ  ｓｐａｃｉｎｇ、ＳＣＳと略称する）、サイクリックプレフィックス（ｃｙｃｌｉｃ  ｐｒｅｆｉｘ、ＣＰと略称する）などのパラメータを含むｎｕｍｅｒｏｌｏｇｙが同じである可能性があり、異なる可能性もあり、このときにｎｕｍｅｒｏｌｏｇｙの情報はＢＷＰの設定情報にある。以下同じであり、説明を省略する。）に、上記予め設定されたルールは、
上記ＰＤＣＣＨの所在するＢＷＰの上記ｎｕｍｅｒｏｌｏｇｙに対応するスケジューリングオフセット閾値を、上記現在使用されているスケジューリングオフセット閾値とし、或いは
上記ＰＤＳＣＨの所在するＢＷＰの上記ｎｕｍｅｒｏｌｏｇｙに対応するスケジューリングオフセット閾値を、上記現在使用されているスケジューリングオフセット閾値とし、或いは
上記ＰＤＣＣＨ又は上記ＰＤＳＣＨの所在するＢＷＰの上記ｎｕｍｅｒｏｌｏｇｙにおける最大又は最小のサブキャリア間隔に対応するスケジューリングオフセット閾値を、上記現在使用されているスケジューリングオフセット閾値とすることを含む。
【００４０】
以下、端末が動作するＢＷＰについて簡単に説明する。
【００４１】
周波数分割複信（Ｆｒｅｑｕｅｎｃｙ  Ｄｉｖｉｓｉｏｎ  Ｄｕｐｌｅｘｉｎｇ、ＦＤＤと略称する）システム又はペアードスペクトル（ｐａｉｒｅｄ  ｓｐｅｃｔｒｕｍ）に対して、ネットワーク側装置は、端末に対して多くとも４つのダウンリンクＢＷＰ及び多くとも４つのアップリンクＢＷＰを設定する。時分割複信（Ｔｉｍｅ  Ｄｉｖｉｓｉｏｎ  Ｄｕｐｌｅｘｉｎｇ、ＴＤＤと略称する）システム又はアンペアードスペクトラム（ｕｎｐａｉｒｅｄ  ｓｐｅｃｔｒｕｍ）に対して、ネットワーク側装置は、端末に対して多くとも４つのダウンリンク／アップリンク（ＤＬ／ＵＬ）ＢＷＰ  ｐａｉｒを設定する。各ＤＬ／ＵＬ  ＢＷＰ  ｐａｉｒにおけるＤＬ  ＢＷＰとＵＬ  ＢＷＰのセンターキャリア周波数は、同じである。また、各ＵＥは、１つのデフォルト（ｄｅｆａｕｌｔ）ＤＬ  ＢＷＰ又はｄｅｆａｕｌｔ  ＤＬ／ＵＬ  ＢＷＰ  ｐａｉｒを有する。ｄｅｆａｕｌｔ  ＤＬ  ＢＷＰ又はｄｅｆａｕｌｔ  ＤＬ／ＵＬ  ＢＷＰ  ｐａｉｒは、通常、比較的小さい帯域幅のＢＷＰであり、端末は、長時間にわたってデータを受信しないか又はＰＤＣＣＨを検出しないと、タイマー（ｔｉｍｅｒ）により、現在のアクティブ化（ａｃｔｉｖｅ）ＢＷＰからｄｅｆａｕｌｔ  ＤＬ  ＢＷＰ又はｄｅｆａｕｌｔ  ＤＬ／ＵＬ  ＢＷＰ  ｐａｉｒに切り替えることにより、省電力の効果を奏する。Ａｃｔｉｖｅ  ＢＷＰ切り替えは、ＲＲＣ又はダウンリンク制御情報（ＤＣＩ）又はｔｉｍｅｒにより実現され、例えば、１つ目の制御リソースセット（ｃｏｎｔｒｏｌ−ｒｅｓｏｕｒｃｅ  ｓｅｔ、ＣＯＲＥＳＥＴと略称する）上のＤＣＩが端末に２つ目のＣＯＲＥＳＥＴに切り替えるように指示すると、端末が２つ目のＣＯＲＥＳＥＴに切り替えた後、該ＣＯＲＥＳＥＴの所在するＢＷＰは、ａｃｔｉｖｅ  ＢＷＰとなる。各セルの各ＢＷＰ上のＣＯＲＥＳＥＴは、３つ以下である。
【００４２】
ＩＤが０であるＣＯＲＥＳＥＴ（ＣＯＲＥＳＥＴ  ＃０）は、物理報知チャネル（Ｐｈｙｓｉｃａｌ  Ｂｒｏａｄｃａｓｔ  Ｃｈａｎｎｅｌ、ＰＢＣＨ）によって設定され、端末がシステム情報（ｓｙｓｔｅｍ  ｉｎｆｏｒｍａｔｉｏｎ）を受信するために用いられる。ブロードキャスト（ｂｒｏａｄｃａｓｔ）ＰＤＣＣＨに対して、端末は、どの同期信号ブロック（Ｓｙｎｃｈｒｏｎｉｚａｔｉｏｎ  Ｓｉｇｎａｌ  Ｂｌｏｃｋ、ＳＳＢ）に対応する共通サーチスペース（ｃｏｍｍｏｎ  ｓｅａｒｃｈ  ｓｐａｃｅ）を受信するかを決定する。ユニキャスト（ｕｎｉｃａｓｔ）ＰＤＳＣＨに対して、ＣＯＲＥＳＥＴ  ＃０に関連するＤＣＩによってスケジュールされてよい。
【００４３】
本開示のいくつかの実施例では、上記予め設定されたルールは、ネットワーク側装置により設定されるか又はプロトコルによって規定される。
【００４４】
図３を参照すると、予め設定されたルールに基づいて現在使用されているスケジューリングオフセット閾値を決定する上記ステップの後に、以下のステップ２２〜ステップ２３をさらに含む。
【００４５】
ステップ２２では、上記ＰＤＣＣＨの受信時間と上記ＰＤＣＣＨによりスケジュールされるＰＤＳＣＨの受信時間との時間オフセットを、上記現在使用されているスケジューリングオフセット閾値と比較し、比較結果に基づいて、上記ＰＤＳＣＨのＱＣＬ情報を決定する。
【００４６】
ステップ２３では、上記ＰＤＳＣＨのＱＣＬ情報に基づいて、上記ＰＤＳＣＨを受信する。
【００４７】
ネットワーク側装置は、ＲＲＣシグナリングによりＵＥにＴＣＩ状態（ｓｔａｔｅ）とＲＳとの対応関係を設定する。
【００４８】
ＴＣＩがＰＤＣＣＨのＱＣＬ指示に用いられる場合に、ネットワーク側装置は、各制御リソースセット（ｃｏｎｔｒｏｌ−ｒｅｓｏｕｒｃｅ  ｓｅｔ、ＣＯＲＥＳＥＴと略称する）にＫ個のＴＣＩ  ｓｔａｔｅを設定し、Ｋ＞１である場合に、メディアアクセス制御層制御ユニット（Ｍｅｄｉａ  Ａｃｃｅｓｓ  Ｃｏｎｔｒｏｌ  Ｃｏｎｔｒｏｌ  Ｅｌｅｍｅｎｔ、ＭＡＣ  ＣＥ）によって１つのＴＣＩ  ｓｔａｔｅを指示し、Ｋ＝１である場合に、余分なＭＡＣ  ＣＥシグナリングを必要としない。端末は、ＣＯＲＥＳＥＴをモニタリングする際に、ＣＯＲＥＳＥＴにおける全てのサーチスペース（ｓｅａｒｃｈ  ｓｐａｃｅ）に対して同じＱＣＬ情報、即ち同じＴＣＩ  ｓｔａｔｅを使用する。該ＴＣＩ状態に対応する参照信号セット（ＲＳ  ｓｅｔ）におけるＲＳ  ｒｅｓｏｕｒｃｅ（例えば、周期的なチャネル状態情報−参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ−ＲＳと略称する）ｒｅｓｏｕｒｃｅ、半永続的ＣＳＩ−ＲＳ  ｒｅｓｏｕｒｃｅ、同期信号ブロック（ＳＳ  ｂｌｏｃｋ）など）と、ＵＥ−ｓｐｅｃｉｆｉｃ  ＰＤＣＣＨ  ＤＭＲＳ（Ｄｅｍｏｄｕｌａｔｉｏｎ  Ｒｅｆｅｒｅｎｃｅ  Ｓｉｇｎａｌ、復調用参照信号）ポートとは、空間ＱＣＬである。端末は、該ＴＣＩ状態に基づいて、どの受信ビームを使用してＰＤＣＣＨを受信するかを知ることができる。
【００４９】
ＴＣＩがＰＤＳＣＨのＱＣＬ指示に用いられる場合、ネットワークは、２Ｎ個のＴＣＩ  ｓｔａｔｅをアクティブ化し、その後にダウンリンク制御情報（ＤＣＩ）のＮ−ｂｉｔ  ＴＣＩ  ｆｉｅｌｄによりＴＣＩ状態を通知し、該ＴＣＩ状態に対応するＲＳ  ｓｅｔにおけるＲＳ  ｒｅｓｏｕｒｃｅと、スケジュールされるＰＤＳＣＨのＤＭＲＳポートとは、ＱＣＬである。端末は、該ＴＣＩ状態に基づいて、どの受信ビームを使用してＰＤＳＣＨを受信するかを知ることができる。
【００５０】
ＰＤＣＣＨの受信時間と上記ＰＤＣＣＨによりスケジュールされるＰＤＳＣＨの受信時間との時間オフセット（ｔｉｍｅ  ｏｆｆｓｅｔ）が上記スケジューリングオフセット閾値より小さいと、端末は、サービングセルのアクティブ化ＢＷＰにおける最小ＩＤを有するＣＯＲＥＳＥＴ（ｌｏｗｅｓｔ  ＣＯＲＥＳＥＴ−ＩＤ）のＴＣＩ状態に基づいてＰＤＳＣＨのＱＣＬ情報を決定する。
【００５１】
ＰＤＣＣＨの受信時間と上記ＰＤＣＣＨによりスケジュールされるＰＤＳＣＨの受信時間との時間オフセットが上記スケジューリングオフセット閾値以上であると、ＤＣＩ  ｆｏｒｍａｔ  １＿１を用いてＰＤＳＣＨをスケジュールし、かつ上位レイヤパラメータｔｃｉ−Ｐｒｅｓｅｎｔ  ＩｎＤＣＩがイネーブル（ｅｎａｂｌｅｄ）に設定される場合に、端末は、ＰＤＳＣＨの復調参照信号（Ｄｅｍｏｄｕｌａｔｉｏｎ  Ｒｅｆｅｒｅｎｃｅ  Ｓｉｇｎａｌ、ＤＭＲＳと略称する）ポート群と、ＴＣＩ  ｆｉｅｌｄにおけるＴＣＩ状態によって指示されるＲＳ  ｓｅｔにおけるＲＳとがＱＣＬであると仮定する。
【００５２】
ＰＤＣＣＨの受信時間と上記ＰＤＣＣＨによりスケジュールされるＰＤＳＣＨの受信時間との時間オフセットが上記スケジューリングオフセット閾値以上であると、ＤＣＩ  ｆｏｒｍａｔ  １＿０を用いてＰＤＳＣＨをスケジュールするか、又はＴＣＩ  ｆｉｌｅｄを搬送していないＤＣＩ  ｆｏｒｍａｔ  １＿１を用いてＰＤＳＣＨをスケジュールするか、又はＤＣＩ  ｆｏｒｍａｔ  １＿１を用いてＰＤＳＣＨをスケジュールし、かつ上位レイヤパラメータｔｃｉ−Ｐｒｅｓｅｎｔ  ＩｎＤＣＩがｄｉｓａｂｌｅｄに設定される場合に、端末は、ＰＤＳＣＨのＱＣＬ情報がＰＤＣＣＨの所在するＣＯＲＥＳＥＴのＴＣＩ状態によって指示されたＱＣＬ情報であると仮定する。
【００５３】
図４を参照すると、本開示のいくつかの実施例では、予め設定されたルールに基づいて現在使用されているスケジューリングオフセット閾値を決定する上記ステップの前に、以下のステップ２０１〜ステップ２０４をさらに含む。
【００５４】
ステップ２０１では、上記端末がＰＤＣＣＨを受信してから上記ＰＤＣＣＨにおけるＤＣＩによって指示されるＱＣＬ情報を上記ＰＤＣＣＨによりスケジュールされるＰＤＳＣＨに適用するまでに要する最小シンボル数である、上記端末がサポートしている一部又は全部サブキャリア間隔の、時間オフセット情報を含む上記端末の能力パラメータ情報をネットワーク側装置に報告する。
【００５５】
ステップ２０２では、上記時間オフセット情報に基づいて得られる、上記端末が報告したサブキャリア間隔に対応する、スケジューリングオフセット閾値を含む設定情報を上記ネットワーク側装置から受信する。
【００５６】
ステップ２０３では、所在するキャリア及び／又はＢＷＰが上記ネットワーク側装置により設定される上記ＰＤＣＣＨを上記ネットワーク側装置から受信し、
具体的には、ＰＤＣＣＨの所在するキャリア及び／又はＢＷＰは、上記設定情報に搬送されてもよいし、個別の設定情報によって搬送されてもよい。
【００５７】
ステップ２０４では、上記ＰＤＣＣＨにおけるＤＣＩに基づいて、上記ＰＤＳＣＨを受信するキャリア及び／又はＢＷＰを決定し、
上記ステップ２１では、予め設定されたルールに基づいて現在使用されているスケジューリングオフセット閾値を決定する上記ステップは、上記設定情報と、上記予め設定されたルールと、ＰＤＣＣＨ及び上記ＰＤＳＣＨを受信するキャリア及び／又はＢＷＰとに基づいて、上記現在使用されているスケジューリングオフセット閾値を決定することを含む。
【００５８】
本開示のいくつかの実施例では、上記スケジューリングオフセット閾値は、ネットワーク側装置が端末の報告した能力パラメータ（ＵＥ  ｃａｐａｂｉｌｉｔｙ）情報に基づいて決定される。ＴＳ３８．３０６には、能力パラメータｔｉｍｅ  Ｄｕｒａｔｉｏｎ  Ｆｏｒ  ＱＣＬ（端末がサポートする各サブキャリア間隔（ｓｕｂｃａｒｒｉｅｒ  ｓｐａｃｉｎｇ）の時間オフセット情報）が定義されており、上記端末がＰＤＣＣＨを受信してから上記ＰＤＣＣＨにおけるＤＣＩによって指示されるＱＣＬ情報を上記ＰＤＣＣＨによりスケジュールされるＰＤＳＣＨに適用するまでに要する最少ＯＦＤＭシンボル数が定義されている。端末は、ネットワーク側装置に各サブキャリア間隔（例えば６０ｋＨｚ及び１２０ｋＨｚ）に対応する時間オフセット情報を報告する必要がある。
【００５９】
ＴＳ３８．３３１には、ネットワーク側装置は、上位レイヤシグナリングにより、上記時間オフセット情報に基づいて得られる、上記端末がサポートする各サブキャリア間隔に対応する、スケジューリングオフセット閾値を含む設定情報を端末に送信する。上記スケジューリングオフセット閾値は、ＵＥがＰＤＣＣＨの最後のシンボルを受信してからＰＤＳＣＨの１つ目のシンボルを受信するまでの間のシンボル数であり、この時間内に、ＵＥは、ＤＣＩにおけるＰＤＳＣＨ  ＱＣＬ情報に基づいてＰＤＳＣＨの受信に必要なＱＣＬパラメータ調整、例えばビーム切り替え（ｂｅａｍ  ｓｗｉｔｃｈｉｎｇ）を完了する必要がある。
【００６０】
ＵＥは、該スケジューリングオフセット閾値を知った後に、ＰＤＣＣＨの受信時間と上記ＰＤＣＣＨによりスケジュールされるＰＤＳＣＨの受信時間との時間オフセットを、上記現在使用されているスケジューリングオフセット閾値と比較し、比較結果に基づいて、上記ＰＤＳＣＨのＱＣＬ情報を決定し、そして決定されたＰＤＳＣＨのＱＣＬ情報に基づいて、ＰＤＳＣＨの受信に必要なＱＣＬパラメータ調整、例えばビーム切り替え（ｂｅａｍ  ｓｗｉｔｃｈｉｎｇ）を完了し、かつＰＤＳＣＨを正確に受信する。
【００６１】
本開示のいくつかの実施例では、上記端末が報告した能力パラメータ情報は、
上記端末がキャリアアグリゲーション（Ｃａｒｒｉｅｒ  Ａｇｇｒｅｇａｔｉｏｎ、ＣＡと略称する）において同じｎｕｍｅｒｏｌｏｇｙのクロスキャリアスケジューリングをサポートするか否か、上記端末がキャリアアグリゲーションにおいて異なるｎｕｍｅｒｏｌｏｇｙのクロスキャリアスケジューリングをサポートするか否か、
上記端末が同じｎｕｍｅｒｏｌｏｇｙのクロスＢＷＰスケジューリングをサポートするか否か、及び
上記端末が異なるｎｕｍｅｒｏｌｏｇｙのクロスＢＷＰスケジューリングをサポートするか否かのうちの少なくとも１つをさらに含んでよい。
【００６２】
本開示のいくつかの実施例では、上記ＰＤＳＣＨと上記ＰＤＣＣＨによりスケジュールされるＰＤＳＣＨとの所在するキャリア又は所在するＢＷＰのｎｕｍｅｒｏｌｏｇｙが同じである場合に、同じ上記ｎｕｍｅｒｏｌｏｇｙに対応するスケジューリングオフセット閾値を、上記現在使用されているスケジューリングオフセット閾値とする。
【００６３】
図５を参照すると、本開示のいくつかの実施例は、以下のステップ５１を含む、ネットワーク側装置に適用されるスケジューリングパラメータの設定方法をさらに提供する。
【００６４】
ステップ５１では、端末に予め設定されたルールを送信することにより、ＰＤＣＣＨと上記ＰＤＣＣＨによりスケジュールされるＰＤＳＣＨとの所在するキャリア又は所在するＢＷＰのｎｕｍｅｒｏｌｏｇｙが異なる場合に、上記端末は、上記予め設定されたルールに基づいて現在使用されているスケジューリングオフセット閾値を決定する。
【００６５】
本開示のいくつかの実施例では、ネットワーク側装置が端末に予め設定されたルールを送信することにより、ネットワーク側が端末に対してクロスキャリア又はクロスＢＷＰスケジューリングを行う場合に、端末は、上記予め設定されたルールに基づいて現在使用されているスケジューリングオフセット閾値を決定して、該スケジューリングオフセット閾値に基づいてＰＤＳＣＨのＱＣＬ情報を決定し、かつ決定されたＰＤＳＣＨのＱＣＬ情報に基づいてＰＤＳＣＨの正確な受信を保証することができる。
【００６６】
本開示のいくつかの実施例では、上記ｎｕｍｅｒｏｌｏｇｙがキャリアに基づいて設定される場合に、上記予め設定されたルールは、
上記ＰＤＣＣＨの所在するキャリアの上記ｎｕｍｅｒｏｌｏｇｙに対応するスケジューリングオフセット閾値を、上記現在使用されているスケジューリングオフセット閾値とし、或いは
上記ＰＤＳＣＨの所在するキャリアの上記ｎｕｍｅｒｏｌｏｇｙに対応するスケジューリングオフセット閾値を、上記現在使用されているスケジューリングオフセット閾値とし、或いは
上記ＰＤＣＣＨ又は上記ＰＤＳＣＨの所在するキャリアの上記ｎｕｍｅｒｏｌｏｇｙにおける最大又は最小のサブキャリア間隔に対応するスケジューリングオフセット閾値を、上記現在使用されているスケジューリングオフセット閾値とすることを含み、
上記ｎｕｍｅｒｏｌｏｇｙがＢＷＰに基づいて設定される場合に、上記予め設定されたルールは、
上記ＰＤＣＣＨの所在するＢＷＰの上記ｎｕｍｅｒｏｌｏｇｙに対応するスケジューリングオフセット閾値を、上記現在使用されているスケジューリングオフセット閾値とし、或いは
上記ＰＤＳＣＨの所在するＢＷＰの上記ｎｕｍｅｒｏｌｏｇｙに対応するスケジューリングオフセット閾値を、上記現在使用されているスケジューリングオフセット閾値とし、或いは
上記ＰＤＣＣＨ又は上記ＰＤＳＣＨの所在するＢＷＰの上記ｎｕｍｅｒｏｌｏｇｙにおける最大又は最小のサブキャリア間隔に対応するスケジューリングオフセット閾値を、上記現在使用されているスケジューリングオフセット閾値とすることを含む。
【００６７】
上記ｎｕｍｅｒｏｌｏｇｙは、サブキャリア間隔を含む。
【００６８】
本開示のいくつかの実施例に係るスケジューリングパラメータの設定方法は、
上記端末がＰＤＣＣＨを受信してから上記ＰＤＣＣＨにおけるＤＣＩによって指示されるＱＣＬ情報を上記ＰＤＣＣＨによりスケジュールされるＰＤＳＣＨに適用するまでに要する最小シンボル数である、上記端末がサポートしている一部又は全部サブキャリア間隔の、時間オフセット情報を含む上記端末の能力パラメータ情報を受信するステップと、
上記時間オフセット情報に基づいて得られる、上記端末が報告したサブキャリア間隔に対応する、スケジューリングオフセット閾値を含む設定情報を上記端末に送信するステップと、
所在するキャリア及び／又はＢＷＰが上記ネットワーク側装置により設定される上記ＰＤＣＣＨを上記端末に送信するステップと、
上記ＰＤＣＣＨによりスケジュールされるＰＤＳＣＨを上記端末に送信するステップと、をさらに含んでよい。
【００６９】
本開示のいくつかの実施例では、上記ＰＤＣＣＨと上記ＰＤＣＣＨによりスケジュールされるＰＤＳＣＨとの所在するキャリア又は所在するＢＷＰのｎｕｍｅｒｏｌｏｇｙが同じである場合に、同じ上記ｎｕｍｅｒｏｌｏｇｙに対応するスケジューリングオフセット閾値を、上記現在使用されているスケジューリングオフセット閾値とする。
【００７０】
以下、ネットワーク側と端末側との対話フローを参照して、上記端末側に適用されるスケジューリングパラメータの決定方法及びネットワーク側に適用されるスケジューリングパラメータの設定方法について説明する。
【００７１】
（１）端末は、以下のａ）及びｂ）を含む能力パラメータ（即ちＵＥ  ｃａｐａｂｉｌｉｔｙ）情報をネットワーク側に報告する。
【００７２】
ａ）クロスキャリア又はクロスＢＷＰスケジューリングをサポートする関連情報であり、例えば、
ｉ．キャリアアグリゲーションにおいて、同じｎｕｍｅｒｏｌｏｇｙのクロスキャリアスケジューリングをサポートするか否か（例えば、ｃｒｏｓｓ  Ｃａｒｒｉｅｒ  ＳａｍｅＮｕｍｅｒｏｌｏｇｙ指示を用いる場合）、
ｉｉ．キャリアアグリゲーションにおいて、異なるｎｕｍｅｒｏｌｏｇｙのクロスキャリアスケジューリングをサポートするか否か（例えば、ｃｒｏｓｓ  Ｃａｒｒｉｅｒ  ＤｉｆｆＮｕｍｅｒｏｌｏｇｙ指示を用いる場合）、
ｉｉｉ．同じｎｕｍｅｒｏｌｏｇｙのクロスＢＷＰスケジューリングをサポートするか否か、及び
ｉｖ．異なるｎｕｍｅｒｏｌｏｇｙのクロスＢＷＰスケジューリングをサポートするか否かである。
【００７３】
ｂ）各サブキャリア間隔（例えば６０ｋＨｚ及び１２０ｋＨｚ）の時間オフセット（ｔｉｍｅ  Ｄｕｒａｔｉｏｎ  Ｆｏｒ  ＱＣＬ）、即ち各ｎｕｍｅｒｏｌｏｇｙに対応する最小ＯＦＤＭシンボル数である。
【００７４】
（２）ネットワーク側装置は、端末の能力パラメータ情報に基づいて、上位レイヤシグナリングによりＵＥに、各サブキャリア間隔に対応するスケジューリングオフセット閾値が含まれる設定情報を送信する。
【００７５】
（３）ネットワーク側装置は、端末にＰＤＣＣＨを送信し、ＰＤＳＣＨ伝送をスケジュールする。
【００７６】
ａ）クロスキャリアスケジューリングをサポートする端末に対して、ＰＤＣＣＨは、上記ＰＤＳＣＨを受信するキャリア及び／又はＢＷＰのインデックス情報を搬送している。
【００７７】
ｂ）クロスキャリアスケジューリングをサポートしない端末に対して、ＰＤＣＣＨは、上記ＰＤＳＣＨを受信するキャリア及び／又はＢＷＰのインデックス情報を搬送している。
【００７８】
（４）端末は、予め設定されたルールに基づいてスケジューリングオフセット閾値を決定する。
【００７９】
ａ）受信されたＰＤＣＣＨと上記ＰＤＣＣＨによりスケジュールされるＰＤＳＣＨとの所在するキャリア又は所在するＢＷＰの数値設定ｎｕｍｅｒｏｌｏｇｙが異なる場合に、
上記ｎｕｍｅｒｏｌｏｇｙがキャリアに基づいて設定される場合に、上記予め設定されたルールは、
上記ＰＤＣＣＨの所在するキャリアの上記ｎｕｍｅｒｏｌｏｇｙに対応するスケジューリングオフセット閾値を、上記現在使用されているスケジューリングオフセット閾値とし、或いは
上記ＰＤＳＣＨの所在するキャリアの上記ｎｕｍｅｒｏｌｏｇｙに対応するスケジューリングオフセット閾値を、上記現在使用されているスケジューリングオフセット閾値とし、或いは
上記ＰＤＣＣＨ又は上記ＰＤＳＣＨの所在するキャリアの上記ｎｕｍｅｒｏｌｏｇｙにおける最大又は最小のサブキャリア間隔に対応するスケジューリングオフセット閾値を、上記現在使用されているスケジューリングオフセット閾値とすることを含み、
上記ｎｕｍｅｒｏｌｏｇｙがＢＷＰに基づいて設定される場合に、上記予め設定されたルールは、
上記ＰＤＣＣＨの所在するＢＷＰの上記ｎｕｍｅｒｏｌｏｇｙに対応するスケジューリングオフセット閾値を、上記現在使用されているスケジューリングオフセット閾値とし、或いは
上記ＰＤＳＣＨの所在するＢＷＰの上記ｎｕｍｅｒｏｌｏｇｙに対応するスケジューリングオフセット閾値を、上記現在使用されているスケジューリングオフセット閾値とし、或いは
上記ＰＤＣＣＨ又は上記ＰＤＳＣＨの所在するＢＷＰの上記ｎｕｍｅｒｏｌｏｇｙにおける最大又は最小のサブキャリア間隔に対応するスケジューリングオフセット閾値を、上記現在使用されているスケジューリングオフセット閾値とすることを含む。
【００８０】
上記ｎｕｍｅｒｏｌｏｇｙは、サブキャリア間隔を含む。
【００８１】
ｂ）受信されたＰＤＣＣＨと上記ＰＤＣＣＨによりスケジュールされるＰＤＳＣＨとの所在するキャリア又は所在するＢＷＰの数値設定ｎｕｍｅｒｏｌｏｇｙが同じである場合に、同じ上記ｎｕｍｅｒｏｌｏｇｙに対応するスケジューリングオフセット閾値を、上記現在使用されているスケジューリングオフセット閾値とする。
【００８２】
上記ルールは、ネットワーク側装置によって設定される又はプロトコルによって予め規定されてよい。
【００８３】
ＵＥは、上記設定情報と、上記予め設定されたルールと、ＰＤＣＣＨ及び上記ＰＤＳＣＨを受信するキャリア及び／又はＢＷＰとに基づいて、上記現在使用されているスケジューリングオフセット閾値を決定する。
【００８４】
（５）端末は、上記ＰＤＣＣＨの受信時間と上記ＰＤＣＣＨによりスケジュールされるＰＤＳＣＨの受信時間との時間オフセットを、上記現在使用されているスケジューリングオフセット閾値と比較し、比較結果に基づいて、上記ＰＤＳＣＨのＱＣＬ情報を決定し、上記ＰＤＳＣＨのＱＣＬ情報に基づいて、上記ＰＤＳＣＨを受信する。
【００８５】
図６を参照すると、本開示のいくつかの実施例に係る端末６０は、
ＰＤＣＣＨと上記ＰＤＣＣＨによりスケジュールされるＰＤＳＣＨとの所在するキャリア又は所在するＢＷＰのｎｕｍｅｒｏｌｏｇｙが異なる場合に、予め設定されたルールに基づいて現在使用されているスケジューリングオフセット閾値を決定する第１の決定モジュール６１を含む。
【００８６】
本開示のいくつかの実施例では、端末が受信したＰＤＣＣＨと上記ＰＤＣＣＨによりスケジュールされるＰＤＳＣＨとの所在するキャリア又は所在するＢＷＰのｎｕｍｅｒｏｌｏｇｙが異なる場合、即ちネットワーク側が端末に対してクロスキャリア又はクロスＢＷＰスケジューリングを行う場合に、予め設定されたルールに基づいて現在使用されているスケジューリングオフセット閾値を決定することにより、該スケジューリングオフセット閾値に基づいてＰＤＳＣＨのＱＣＬ情報を決定し、かつ決定されたＰＤＳＣＨのＱＣＬ情報に基づいてＰＤＳＣＨの正確な受信を保証することができる。
【００８７】
本開示のいくつかの実施例では、上記ｎｕｍｅｒｏｌｏｇｙがキャリアに基づいて設定される場合に、上記予め設定されたルールは、
上記ＰＤＣＣＨの所在するキャリアの上記ｎｕｍｅｒｏｌｏｇｙに対応するスケジューリングオフセット閾値を、上記現在使用されているスケジューリングオフセット閾値とし、或いは
上記ＰＤＳＣＨの所在するキャリアの上記ｎｕｍｅｒｏｌｏｇｙに対応するスケジューリングオフセット閾値を、上記現在使用されているスケジューリングオフセット閾値とし、或いは
上記ＰＤＣＣＨ又は上記ＰＤＳＣＨの所在するキャリアの上記ｎｕｍｅｒｏｌｏｇｙにおける最大又は最小のサブキャリア間隔に対応するスケジューリングオフセット閾値を、上記現在使用されているスケジューリングオフセット閾値とすることを含み、
上記ｎｕｍｅｒｏｌｏｇｙがＢＷＰに基づいて設定される場合に、上記予め設定されたルールは、
上記ＰＤＣＣＨの所在するＢＷＰの上記ｎｕｍｅｒｏｌｏｇｙに対応するスケジューリングオフセット閾値を、上記現在使用されているスケジューリングオフセット閾値とし、或いは
上記ＰＤＳＣＨの所在するＢＷＰの上記ｎｕｍｅｒｏｌｏｇｙに対応するスケジューリングオフセット閾値を、上記現在使用されているスケジューリングオフセット閾値とし、或いは
上記ＰＤＣＣＨ又は上記ＰＤＳＣＨの所在するＢＷＰの上記ｎｕｍｅｒｏｌｏｇｙにおける最大又は最小のサブキャリア間隔に対応するスケジューリングオフセット閾値を、上記現在使用されているスケジューリングオフセット閾値とすることを含む。
【００８８】
上記ｎｕｍｅｒｏｌｏｇｙは、サブキャリア間隔を含む。
【００８９】
本開示のいくつかの実施例では、上記予め設定されたルールは、ネットワーク側装置により設定されるか又はプロトコルによって規定される。
【００９０】
本開示のいくつかの実施例では、上記端末は、
上記ＰＤＣＣＨの受信時間と上記ＰＤＣＣＨによりスケジュールされるＰＤＳＣＨの受信時間との時間オフセットを、上記現在使用されているスケジューリングオフセット閾値と比較し、比較結果に基づいて、上記ＰＤＳＣＨのＱＣＬ情報を決定する第２の決定モジュールと、
上記ＰＤＳＣＨのＱＣＬ情報に基づいて、上記ＰＤＳＣＨを受信する第１の受信モジュールとをさらに含んでよい。
【００９１】
本開示のいくつかの実施例では、上記端末は、
上記端末がＰＤＣＣＨを受信してから上記ＰＤＣＣＨにおけるＤＣＩによって指示されるＱＣＬ情報を上記ＰＤＣＣＨによりスケジュールされるＰＤＳＣＨに適用するまでに要する最小シンボル数である、上記端末がサポートしている一部又は全部サブキャリア間隔の、時間オフセット情報を含む上記端末の能力パラメータ情報をネットワーク側装置に報告する報告モジュールと、
上記時間オフセット情報に基づいて得られる、上記端末が報告したサブキャリア間隔に対応する、スケジューリングオフセット閾値を含む設定情報を上記ネットワーク側装置から受信する第２の受信モジュールと、
所在するキャリア及び／又はＢＷＰが上記ネットワーク側装置により設定される上記ＰＤＣＣＨを上記ネットワーク側装置から受信する第３の受信モジュールと、
上記ＰＤＣＣＨにおけるＤＣＩに基づいて、上記ＰＤＳＣＨを受信するキャリア及び／又はＢＷＰを決定する第３の決定モジュールとをさらに含んでよく、
上記第１の決定モジュールは、上記設定情報と、上記予め設定されたルールと、ＰＤＣＣＨ及び上記ＰＤＳＣＨを受信するキャリア及び／又はＢＷＰとに基づいて、上記現在使用されているスケジューリングオフセット閾値を決定する。
【００９２】
本開示のいくつかの実施例では、上記能力パラメータ情報は、
上記端末がキャリアアグリゲーションにおいて同じｎｕｍｅｒｏｌｏｇｙのクロスキャリアスケジューリングをサポートするか否か、
上記端末がキャリアアグリゲーションにおいて異なるｎｕｍｅｒｏｌｏｇｙのクロスキャリアスケジューリングをサポートするか否か、
上記端末が同じｎｕｍｅｒｏｌｏｇｙのクロスＢＷＰスケジューリングをサポートするか否か、及び
上記端末が異なるｎｕｍｅｒｏｌｏｇｙのクロスＢＷＰスケジューリングをサポートするか否かのうちの少なくとも１つをさらに含む。
【００９３】
本開示のいくつかの実施例では、上記端末は、
上記ＰＤＣＣＨと上記ＰＤＣＣＨによりスケジュールされるＰＤＳＣＨとの所在するキャリア又は所在するＢＷＰのｎｕｍｅｒｏｌｏｇｙが同じである場合に、同じ上記ｎｕｍｅｒｏｌｏｇｙに対応するスケジューリングオフセット閾値を、上記現在使用されているスケジューリングオフセット閾値とする第４の決定モジュールをさらに含んでよい。
【００９４】
図７を参照すると、本開示のいくつかの実施例に係るネットワーク側装置７０は、
ＰＤＣＣＨと上記ＰＤＣＣＨによりスケジュールされるＰＤＳＣＨとの所在するキャリア又は所在するＢＷＰのｎｕｍｅｒｏｌｏｇｙが異なる場合に、端末が予め設定されたルールに基づいて現在使用されているスケジューリングオフセット閾値を決定するように、上記端末に上記予め設定されたルールを送信する第１の送信モジュール７１を含む。
【００９５】
本開示のいくつかの実施例では、ネットワーク側装置が端末に予め設定されたルールを送信することにより、ネットワーク側が端末に対してクロスキャリア又はクロスＢＷＰスケジューリングを行う場合に、端末は、上記予め設定されたルールに基づいて現在使用されているスケジューリングオフセット閾値を決定して、該スケジューリングオフセット閾値に基づいてＰＤＳＣＨのＱＣＬ情報を決定し、かつ決定されたＰＤＳＣＨのＱＣＬ情報に基づいてＰＤＳＣＨの正確な受信を保証することができる。
【００９６】
本開示のいくつかの実施例では、上記ｎｕｍｅｒｏｌｏｇｙがキャリアに基づいて設定される場合に、上記予め設定されたルールは、
上記ＰＤＣＣＨの所在するキャリアの上記ｎｕｍｅｒｏｌｏｇｙに対応するスケジューリングオフセット閾値を、上記現在使用されているスケジューリングオフセット閾値とし、或いは
上記ＰＤＳＣＨの所在するキャリアの上記ｎｕｍｅｒｏｌｏｇｙに対応するスケジューリングオフセット閾値を、上記現在使用されているスケジューリングオフセット閾値とし、或いは
上記ＰＤＣＣＨ又は上記ＰＤＳＣＨの所在するキャリアの上記ｎｕｍｅｒｏｌｏｇｙにおける最大又は最小のサブキャリア間隔に対応するスケジューリングオフセット閾値を、上記現在使用されているスケジューリングオフセット閾値とすることを含み、
上記ｎｕｍｅｒｏｌｏｇｙがＢＷＰに基づいて設定される場合に、上記予め設定されたルールは、
上記ＰＤＣＣＨの所在するＢＷＰの上記ｎｕｍｅｒｏｌｏｇｙに対応するスケジューリングオフセット閾値を、上記現在使用されているスケジューリングオフセット閾値とし、或いは
上記ＰＤＳＣＨの所在するＢＷＰの上記ｎｕｍｅｒｏｌｏｇｙに対応するスケジューリングオフセット閾値を、上記現在使用されているスケジューリングオフセット閾値とし、或いは
上記ＰＤＣＣＨ又は上記ＰＤＳＣＨの所在するＢＷＰの上記ｎｕｍｅｒｏｌｏｇｙにおける最大又は最小のサブキャリア間隔に対応するスケジューリングオフセット閾値を、上記現在使用されているスケジューリングオフセット閾値とすることを含む。
【００９７】
上記ｎｕｍｅｒｏｌｏｇｙは、サブキャリア間隔を含む。
【００９８】
本開示のいくつかの実施例では、上記ネットワーク側装置は、 
上記端末がＰＤＣＣＨを受信してから上記ＰＤＣＣＨにおけるＤＣＩによって指示されるＱＣＬ情報を上記ＰＤＣＣＨによりスケジュールされるＰＤＳＣＨに適用するまでに要する最小シンボル数である、上記端末がサポートしている一部又は全部サブキャリア間隔の、時間オフセット情報を含む上記端末の能力パラメータ情報を受信する受信モジュールと、
上記時間オフセット情報に基づいて得られる、上記端末が報告したサブキャリア間隔に対応する、スケジューリングオフセット閾値を含む設定情報を上記端末に送信する第２の送信モジュールと、
所在するキャリア及び／又はＢＷＰが上記ネットワーク側装置により設定される上記ＰＤＣＣＨを上記端末に送信する第３の送信モジュールと、
上記ＰＤＣＣＨによりスケジュールされるＰＤＳＣＨを上記端末に送信する第４の送信モジュールと、をさらに含んでよい。
【００９９】
好ましくは、上記予め設定されたルールは、
上記ＰＤＣＣＨと上記ＰＤＣＣＨによりスケジュールされるＰＤＳＣＨとの所在するキャリア又は所在するＢＷＰのｎｕｍｅｒｏｌｏｇｙが同じである場合に、同じ上記ｎｕｍｅｒｏｌｏｇｙに対応するスケジューリングオフセット閾値を、上記現在使用されているスケジューリングオフセット閾値とすることをさらに含む。
【０１００】
図８は、本開示の別の実施例に係る端末の概略構成図であり、図８を参照すると、該端末８０は、無線周波数ユニット８１、ネットワークモジュール８２、オーディオ出力ユニット８３、入力ユニット８４、センサ８５、表示ユニット８６、ユーザ入力ユニット８７、インタフェースユニット８８、メモリ８９、プロセッサ８１０及び電源８１１などの部品を含むが、これらに限定されない。当業者が理解できるように、図８に示す端末の構成は、端末を限定するものではなく、端末は、図示より多いか又は少ない部品を含んでよく、ある部品を組み合わせたり、異なる部品を配置したりしてよい。本開示のいくつかの実施例では、端末は、携帯電話、タブレットコンピュータ、ノートブックコンピュータ、ハンドトップコンピュータ、車載端末、ウェアラブルデバイス及び歩数計などを含むが、これらに限定されない。
【０１０１】
上記プロセッサ８１０は、ＰＤＣＣＨと上記ＰＤＣＣＨによりスケジュールされるＰＤＳＣＨとの所在するキャリア又は所在するＢＷＰのｎｕｍｅｒｏｌｏｇｙが異なる場合に、予め設定されたルールに基づいて現在使用されているスケジューリングオフセット閾値を決定する。
【０１０２】
本開示のいくつかの実施例では、端末が受信したＰＤＣＣＨと上記ＰＤＣＣＨによりスケジュールされるＰＤＳＣＨとの所在するキャリア又は所在するＢＷＰのｎｕｍｅｒｏｌｏｇｙが異なる場合、即ちネットワーク側が端末に対してクロスキャリア又はクロスＢＷＰスケジューリングを行う場合に、予め設定されたルールに基づいて現在使用されているスケジューリングオフセット閾値を決定することにより、該スケジューリングオフセット閾値に基づいてＰＤＳＣＨのＱＣＬ情報を決定し、かつ決定されたＰＤＳＣＨのＱＣＬ情報に基づいてＰＤＳＣＨの正確な受信を保証することができる。
【０１０３】
なお、本開示のいくつかの実施例では、無線周波数ユニット８１は、情報の送受信、又は通話中の信号の送受信に用いられてよく、具体的には、基地局からのダウンリンクデータを受信した後、プロセッサ８１０に処理させ、また、アップリンクデータを基地局に送信することを理解されたい。一般的に、無線周波数ユニット８１は、アンテナ、少なくとも１つの増幅器、送受信機、カプラ、ローノイズアンプ、デュプレクサなどを含むが、これらに限定されない。また、無線周波数ユニット８１は、無線通信システムによりネットワーク及び他の装置と通信できる。
【０１０４】
端末は、ネットワークモジュール８２によりユーザに無線のブロードバンドインターネットアクセスを提供して、ユーザの電子メールの送受信、ウェブの閲覧及びストリーミングメディアのアクセスなどを助ける。
【０１０５】
オーディオ出力ユニット８３は、無線周波数ユニット８１又はネットワークモジュール８２によって受信されるか、又はメモリ８９に記憶されるオーディオデータをオーディオ信号に変換して音声として出力することができる。また、オーディオ出力ユニット８３は、さらに端末８０によって実行される特定の機能に関連するオーディオ出力（例えば、呼出音、メッセージ着信音など）を提供することができる。オーディオ出力ユニット８３は、スピーカー、ブザー及びレシーバーなどを含む。
【０１０６】
入力ユニット８４は、オーディオ又はビデオ信号を入力する。入力ユニット８４は、グラフィック処理ユニット（Ｇｒａｐｈｉｃｓ  Ｐｒｏｃｅｓｓｉｎｇ  Ｕｎｉｔ、ＧＰＵ）８４１及びマイクロフォン８４２を含んでよく、グラフィック処理ユニット８４１は、動画撮影モード又は撮影モードで撮影装置（例えば、カメラ）によって取得された静止画像又はビデオの画像データを処理する。処理後の画像フレームは、表示ユニット８６に表示することができる。グラフィック処理ユニット８４１で処理された画像フレームは、メモリ８９（又は他の記憶媒体）に記憶されるか又は無線周波数ユニット８１又はネットワークモジュール８２によって送信されてよい。マイクロフォン８４２は、音声を受信し、かつこのような音声をオーディオデータに処理することができる。処理後のオーディオデータは、電話通話モードで無線周波数ユニット８１によって移動通信基地局に送信可能なフォーマットに変換されて出力することができる。
【０１０７】
端末８０は、光センサ、動きセンサ及び他のセンサなどの少なくとも１種のセンサ８５をさらに含んでよい。具体的には、光センサは、環境光の明暗に応じて表示パネル８６１の明るさを調整可能な環境光センサと、端末８０が耳元に移動したときに、表示パネル８６１及び／又はバックライトを閉じることができる近接センサとを含む。動きセンサの１種として、加速センサは、各方向（一般に３軸）の加速度の大きさを検出でき、静止時に重力の大きさ及び方向を検出でき、端末姿勢（例えば、縦向き／横向きの切り替え、ゲーム関連、磁力計の姿勢較正）の識別、振動識別に関連する機能（例えば、歩数計、タッピング）などに用いられてよく、センサ８５は、指紋センサ、圧力センサ、虹彩センサ、分子センサ、ジャイロスコープ、気圧計、湿度計、温度計、赤外線センサなどをさらに含んでもよく、ここでは説明を省略する。
【０１０８】
表示ユニット８６は、ユーザにより入力された情報又はユーザに提供する情報を表示する。表示ユニット８６は、表示パネル８６１を含んでよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形式で表示パネル８６１を配置することができる。
【０１０９】
ユーザ入力ユニット８７は、入力された数字又は文字情報を受信したり、端末のユーザ設定及び機能制御に関連するキー信号の入力を生成したりすることができる。具体的には、ユーザ入力ユニット８７は、タッチパネル８７１及び他の入力装置８７２を含む。タッチパネル８７１は、タッチスクリーンとも呼ばれ、その上又はその近くでのユーザのタッチ操作（例えば、指、スタイラスペンなどの任意の適切な物体又は付属品を用いるタッチパネル８７１上又はタッチパネル８７１の近くでのユーザの操作）を収集することができる。タッチパネル８７１は、タッチ検出装置及びタッチコントローラの２つの部品を含んでよい。タッチ検出装置は、ユーザのタッチ方向を検出し、タッチ操作による信号を検出し、信号をタッチコントローラに伝送し、タッチコントローラは、タッチ検出装置からタッチ情報を受信し、タッチポイント座標に変換して、プロセッサ８１０に送信し、プロセッサ８１０から送信されたコマンドを受信し、実行する。また、抵抗式、容量式、赤外線式及び表面弾性波式などの複数のタイプでタッチパネル８７１を実現することができる。タッチパネル８７１に加えて、ユーザ入力ユニット８７は、他の入力装置８７２を含んでよい。具体的には、他の入力装置８７２は、物理キーボード、機能キー（ボリューム制御ボタン、スイッチボタンなど）、トラックボール、マウス、操作レバーをさらに含んでよいが、これらに限定されず、ここでは説明を省略する。
【０１１０】
さらに、タッチパネル８７１は、表示パネル８６１を覆うことができ、タッチパネル８７１がその上又はその近くでのタッチ操作を検出した後、プロセッサ８１０に伝送してタッチイベントのタイプを決定し、次にプロセッサ８１０はタッチイベントのタイプに応じて表示パネル８６１上に対応する視覚的出力を提供する。図８において、タッチパネル８７１と表示パネル８６１は、２つの独立した部品として端末の入出力機能を実現するが、いくつかの実施例では、タッチパネル８７１と表示パネル８６１を一体化して端末の入出力機能を実現することができ、ここでは具体的に限定しない。
【０１１１】
インタフェースユニット８８は、外部装置と端末８０を接続するインタフェースである。例えば、外部装置は、有線又は無線ヘッドフォンポート、外部電源（又は電池充電器）ポート、有線又は無線データポート、メモリカードポート、識別モジュールを備えた装置との接続用ポート、オーディオ入力／出力（Ｉ／Ｏ）ポート、ビデオＩ／Ｏポート、イヤホンポートなどを含んでよい。インタフェースユニット８８は、外部装置からの入力（例えば、データ情報、電力など）を受信すると共に、受信された入力を端末８０内の１つ以上の素子に伝送するか又は端末８０と外部装置との間にデータを伝送することができる。
【０１１２】
メモリ８９は、ソフトウェアプログラム及び様々なデータを記憶することができる。メモリ８９は、主に、オペレーティングシステム、少なくとも１つの機能（例えば、音声再生機能、画像再生機能など）に必要なアプリケーションプログラムなどを記憶することができるプログラム記憶領域と、携帯電話の使用に応じて作成されたデータ（例えば、オーディオデータ、電話帳など）などを記憶することができるデータ記憶領域とを含んでよい。また、メモリ８９は、高速ランダムアクセスメモリを含んでもよく、少なくとも１つの磁気ディスクメモリ素子、フラッシュメモリ素子などの不揮発性メモリ又は他の揮発性固体メモリ素子をさらに含んでよい。
【０１１３】
プロセッサ８１０は、端末の制御センターであり、様々なインタフェースと回線により端末全体の各部分に接続され、メモリ８９に記憶されているソフトウェアプログラム及び／又はモジュールを動作させるか又は実行し、メモリ８９に記憶されたデータを呼び出すことにより、端末の様々な機能とデータ処理を実行して、端末全体を制御する。プロセッサ８１０は、１つ以上の処理ユニットを含んでよく、好ましくは、プロセッサ８１０は、主にオペレーティングシステム、ユーザインタフェース及びアプリケーションプログラムなどを処理するアプリケーションプロセッサと、主に無線通信を処理するモデムプロセッサとを集積することができる。上記モデムプロセッサは、プロセッサ８１０に集積されなくてよいことを理解されたい。
【０１１４】
端末８０は、各部品に給電する電源８１１（例えば、電池）を含んでよく、好ましくは、電源８１１は、電源管理システムによりプロセッサ８１０と論理的に接続されて、電源管理システムにより充電、放電の管理及び消費電力の管理などの機能を実現することができる。
【０１１５】
また、端末８０は、いくつかの未図示の機能モジュールを含み、ここでは説明を省略する。
【０１１６】
図９は、本開示の更なる実施例に係る端末の概略構成図であり、図９を参照すると、該端末９０は、プロセッサ９１及びメモリ９２を含む。本開示のいくつかの実施例では、端末装置９０は、メモリ９２に記憶されてプロセッサ９１上で実行可能で、プロセッサ９１によって実行されると、ＰＤＣＣＨと上記ＰＤＣＣＨによりスケジュールされるＰＤＳＣＨとの所在するキャリア又は所在するＢＷＰのｎｕｍｅｒｏｌｏｇｙが異なる場合に、予め設定されたルールに基づいて現在使用されているスケジューリングオフセット閾値を決定するステップを実行するコンピュータプログラムをさらに含む。
【０１１７】
プロセッサ９１は、バスアーキテクチャ及び一般的な処理の管理を担当し、メモリ９２は、プロセッサ９１が操作実行時に使用するデータを記憶することができる。
【０１１８】
好ましくは、上記ｎｕｍｅｒｏｌｏｇｙがキャリアに基づいて設定される場合に、上記予め設定されたルールは、
上記ＰＤＣＣＨの所在するキャリアの上記ｎｕｍｅｒｏｌｏｇｙに対応するスケジューリングオフセット閾値を、上記現在使用されているスケジューリングオフセット閾値とし、或いは
上記ＰＤＳＣＨの所在するキャリアの上記ｎｕｍｅｒｏｌｏｇｙに対応するスケジューリングオフセット閾値を、上記現在使用されているスケジューリングオフセット閾値とし、或いは
上記ＰＤＣＣＨ又は上記ＰＤＳＣＨの所在するキャリアの上記ｎｕｍｅｒｏｌｏｇｙにおける最大又は最小のサブキャリア間隔に対応するスケジューリングオフセット閾値を、上記現在使用されているスケジューリングオフセット閾値とすることを含み、
上記ｎｕｍｅｒｏｌｏｇｙがＢＷＰに基づいて設定される場合に、上記予め設定されたルールは、
上記ＰＤＣＣＨの所在するＢＷＰの上記ｎｕｍｅｒｏｌｏｇｙに対応するスケジューリングオフセット閾値を、上記現在使用されているスケジューリングオフセット閾値とし、或いは
上記ＰＤＳＣＨの所在するＢＷＰの上記ｎｕｍｅｒｏｌｏｇｙに対応するスケジューリングオフセット閾値を、上記現在使用されているスケジューリングオフセット閾値とし、或いは
上記ＰＤＣＣＨ又は上記ＰＤＳＣＨの所在するＢＷＰの上記ｎｕｍｅｒｏｌｏｇｙにおける最大又は最小のサブキャリア間隔に対応するスケジューリングオフセット閾値を、上記現在使用されているスケジューリングオフセット閾値とすることを含む。
【０１１９】
上記ｎｕｍｅｒｏｌｏｇｙは、サブキャリア間隔を含む。
【０１２０】
好ましくは、上記予め設定されたルールは、ネットワーク側装置により設定されるか又はプロトコルによって規定される。
【０１２１】
好ましくは、コンピュータプログラムは、プロセッサ９１により実行されると、
上記ＰＤＣＣＨの受信時間と上記ＰＤＣＣＨによりスケジュールされるＰＤＳＣＨの受信時間との時間オフセットを、上記現在使用されているスケジューリングオフセット閾値と比較し、比較結果に基づいて、上記ＰＤＳＣＨのＱＣＬ情報を決定するステップと、
上記ＰＤＳＣＨのＱＣＬ情報に基づいて、上記ＰＤＳＣＨを受信するステップとをさらに実現することができる。
【０１２２】
好ましくは、コンピュータプログラムは、プロセッサ９１により実行されると、
上記端末がＰＤＣＣＨを受信してから上記ＰＤＣＣＨにおけるＤＣＩによって指示されるＱＣＬ情報を上記ＰＤＣＣＨによりスケジュールされるＰＤＳＣＨに適用するまでに要する最小シンボル数である、上記端末がサポートしている一部又は全部サブキャリア間隔の、時間オフセット情報を含む上記端末の能力パラメータ情報をネットワーク側装置に報告するステップと、
上記時間オフセット情報に基づいて得られる、上記端末が報告したサブキャリア間隔に対応する、スケジューリングオフセット閾値を含む設定情報を上記ネットワーク側装置から受信するステップと、
所在するキャリア及び／又はＢＷＰが上記ネットワーク側装置により設定される上記ＰＤＣＣＨを上記ネットワーク側装置から受信するステップと、
上記ＰＤＣＣＨにおけるＤＣＩに基づいて、上記ＰＤＳＣＨを受信するキャリア及び／又はＢＷＰを決定するステップをさらに実現することができ、
予め設定されたルールに基づいて現在使用されているスケジューリングオフセット閾値を決定する上記ステップは、
上記設定情報と、上記予め設定されたルールと、ＰＤＣＣＨ及び上記ＰＤＳＣＨを受信するキャリア及び／又はＢＷＰとに基づいて、上記現在使用されているスケジューリングオフセット閾値を決定することを含む。
【０１２３】
好ましくは、上記能力パラメータ情報は、
上記端末がキャリアアグリゲーションにおいて同じｎｕｍｅｒｏｌｏｇｙのクロスキャリアスケジューリングをサポートするか否か、
上記端末がキャリアアグリゲーションにおいて異なるｎｕｍｅｒｏｌｏｇｙのクロスキャリアスケジューリングをサポートするか否か、
上記端末が同じｎｕｍｅｒｏｌｏｇｙのクロスＢＷＰスケジューリングをサポートするか否か、及び
上記端末が異なるｎｕｍｅｒｏｌｏｇｙのクロスＢＷＰスケジューリングをサポートするか否かのうちの少なくとも１つをさらに含んでよい。
【０１２４】
好ましくは、コンピュータプログラムは、プロセッサ９１により実行されると、
上記ＰＤＣＣＨと上記ＰＤＣＣＨによりスケジュールされるＰＤＳＣＨとの所在するキャリア又は所在するＢＷＰのｎｕｍｅｒｏｌｏｇｙが同じである場合に、同じ上記ｎｕｍｅｒｏｌｏｇｙに対応するスケジューリングオフセット閾値を、上記現在使用されているスケジューリングオフセット閾値とするステップをさらに実現することができる。
【０１２５】
図１０は、本開示の更なる実施例に係るネットワーク側装置の概略構成図であり、図１０を参照すると、該ネットワーク側装置１００は、プロセッサ１０１及びメモリ１０２を含む。本開示のいくつかの実施例では、端末装置１００は、メモリ１０２に記憶されてプロセッサ１０１上で実行可能で、プロセッサ１０１によって実行されると、端末に予め設定されたルールを送信することにより、ＰＤＣＣＨと上記ＰＤＣＣＨによりスケジュールされるＰＤＳＣＨとの所在するキャリア又は所在するＢＷＰのｎｕｍｅｒｏｌｏｇｙが異なる場合に、上記端末が上記予め設定されたルールに基づいて現在使用されているスケジューリングオフセット閾値を決定するステップを実現するを含むコンピュータプログラムをさらに含む。
【０１２６】
プロセッサ１０１は、バスアーキテクチャ及び一般的な処理の管理を担当し、メモリ１０２は、プロセッサ１０１が操作実行時に使用するデータを記憶してよい。
【０１２７】
好ましくは、上記ｎｕｍｅｒｏｌｏｇｙがキャリアに基づいて設定される場合に、上記予め設定されたルールは、
上記ＰＤＣＣＨの所在するキャリアの上記ｎｕｍｅｒｏｌｏｇｙに対応するスケジューリングオフセット閾値を、上記現在使用されているスケジューリングオフセット閾値とし、或いは
上記ＰＤＳＣＨの所在するキャリアの上記ｎｕｍｅｒｏｌｏｇｙに対応するスケジューリングオフセット閾値を、上記現在使用されているスケジューリングオフセット閾値とし、或いは
上記ＰＤＣＣＨ又は上記ＰＤＳＣＨの所在するキャリアの上記ｎｕｍｅｒｏｌｏｇｙにおける最大又は最小のサブキャリア間隔に対応するスケジューリングオフセット閾値を、上記現在使用されているスケジューリングオフセット閾値とすることを含み、
上記ｎｕｍｅｒｏｌｏｇｙがＢＷＰに基づいて設定される場合に、上記予め設定されたルールは、
上記ＰＤＣＣＨの所在するＢＷＰの上記ｎｕｍｅｒｏｌｏｇｙに対応するスケジューリングオフセット閾値を、上記現在使用されているスケジューリングオフセット閾値とし、或いは
上記ＰＤＳＣＨの所在するＢＷＰの上記ｎｕｍｅｒｏｌｏｇｙに対応するスケジューリングオフセット閾値を、上記現在使用されているスケジューリングオフセット閾値とし、或いは
上記ＰＤＣＣＨ又は上記ＰＤＳＣＨの所在するＢＷＰの上記ｎｕｍｅｒｏｌｏｇｙにおける最大又は最小のサブキャリア間隔に対応するスケジューリングオフセット閾値を、上記現在使用されているスケジューリングオフセット閾値とすることを含む。
【０１２８】
好ましくは、コンピュータプログラムは、プロセッサ１０１により実行されると、
上記端末がＰＤＣＣＨを受信してから上記ＰＤＣＣＨにおけるＤＣＩによって指示されるＱＣＬ情報を上記ＰＤＣＣＨによりスケジュールされるＰＤＳＣＨに適用するまでに要する最小シンボル数である、上記端末がサポートしている一部又は全部サブキャリア間隔の、時間オフセット情報を含む上記端末の能力パラメータ情報を受信するステップと、
上記時間オフセット情報に基づいて得られる、上記端末が報告したサブキャリア間隔に対応する、スケジューリングオフセット閾値を含む設定情報を上記端末に送信するステップと、
所在するキャリア及び／又はＢＷＰが上記ネットワーク側装置により設定される上記ＰＤＣＣＨを上記端末に送信するステップと、
上記ＰＤＣＣＨによりスケジュールされるＰＤＳＣＨを上記端末に送信するステップと、をさらに実現することができる。
【０１２９】
好ましくは、上記予め設定されたルールは、
上記ＰＤＣＣＨと上記ＰＤＣＣＨによりスケジュールされるＰＤＳＣＨとの所在するキャリア又は所在するＢＷＰのｎｕｍｅｒｏｌｏｇｙが同じである場合に、同じ上記ｎｕｍｅｒｏｌｏｇｙに対応するスケジューリングオフセット閾値を、上記現在使用されているスケジューリングオフセット閾値とすることをさらに含んでよい。
【０１３０】
本開示のいくつかの実施例に係るコンピュータ読み取り可能な記憶媒体は、プロセッサによって実行されると、上記スケジューリングパラメータの決定方法の実施例の各プロセスを実現し、かつ同じ技術的効果を達成することができるコンピュータプログラムが記憶されており、重複を避けるために、ここでは説明を省略する。
【０１３１】
本開示のいくつかの実施例に係るコンピュータ読み取り可能な記憶媒体は、プロセッサによって実行されると、上記スケジューリングパラメータの設定方法の実施例の各プロセスを実現し、かつ同じ技術的効果を達成することができるコンピュータプログラムが記憶されており、重複を避けるために、ここでは説明を省略する。
【０１３２】
上記コンピュータ読み取り可能な記憶媒体は、読み取り専用メモリ（Ｒｅａｄ−Ｏｎｌｙ  Ｍｅｍｏｒｙ、ＲＯＭと略称する）、ランダムアクセスメモリ（Ｒａｎｄｏｍ  Ａｃｃｅｓｓ  Ｍｅｍｏｒｙ、ＲＡＭと略称する）、磁気ディスク又は光ディスクなどであってよい。
【０１３３】
なお、本明細書において、用語「含む」、「含有」又はその如何なる他の変形は、非排他性の包含をカバーすることを意図することにより、一連の要素を含むプロセス、方法、物品又は装置は、それらの要素を含むだけでなく、明確に列記されていない他の要素も含み、又はこのようなプロセス、方法、物品又は装置の固有の要素をさらに含む。より多くの限定がない場合に、語句「１つ．．．を含む」により限定された要素は、該要素を含むプロセス、方法、物品又は装置にさらに別の同一の要素がさらに存在することを排除するものではない。
【０１３４】
以上の実施形態の説明により、当業者が明確に理解できるように、上記実施例の方法は、ソフトウェアと必要な汎用ハードウェアプラットフォームを併用した方法で実現でき、当然のことながらハードウェアでも実現できるが、多くの場合に前者がより好ましい実施形態である。このような理解に基づいて、本開示の技術手段は、本質的又は従来技術に寄与する部分が、ソフトウェア製品の形態で具現化されてよく、該コンピュータソフトウェア製品は、記憶媒体（例えば、ＲＯＭ／ＲＡＭ、磁気ディスク、光ディスク）に記憶されており、一台の端末（携帯電話、コンピュータ、サーバ、エアコン又はネットワーク機器などであってもよい）に本開示の各実施例に記載の方法を実行させるための複数の命令を含む。
【０１３５】
以上、図面を参照しながら本開示の実施例を説明したが、本開示は、上記具体的な実施形態に限定されるものではなく、上記具体的な実施形態は、制限的なものではなく、例示的なものに過ぎず、当業者であれば、本開示の示唆で、本開示の趣旨及び特許請求の範囲の保護範囲から逸脱することなく、その他種々の態様が可能で、これらはいずれも本開示の保護範囲内に属する。
【図１】
2021523656.tif 000003
【図２】
2021523656.tif 000004
【図３】
2021523656.tif 000005
【図４】
2021523656.tif 000006
【図５】
2021523656.tif 000007
【図６】
2021523656.tif 000008
【図７】
2021523656.tif 000009
【図８】
2021523656.tif 000010
【図９】
2021523656.tif 000011
【図１０】
2021523656.tif 000012
【手続補正書】
【提出日】令和3年1月12日(2021.1.12)
【手続補正１】
【補正対象書類名】特許請求の範囲
【補正対象項目名】全文
【補正方法】変更
【補正の内容】
【特許請求の範囲】
【請求項１】
端末に適用されるスケジューリングパラメータの決定方法であって、
物理ダウンリンク制御チャネル（ＰＤＣＣＨ）と前記ＰＤＣＣＨによりスケジュールされる物理ダウンリンク共有チャネル（ＰＤＳＣＨ）との所在するキャリア又は所在する帯域幅部分（ＢＷＰ）の数値設定（ｎｕｍｅｒｏｌｏｇｙ）が異なる場合に、予め設定されたルールに基づいて現在使用されているスケジューリングオフセット閾値を決定することを含む、スケジューリングパラメータの決定方法。
【請求項２】
前記ｎｕｍｅｒｏｌｏｇｙがキャリアに基づいて設定される場合に、前記予め設定されたルールは、
前記ＰＤＣＣＨの所在するキャリアの前記ｎｕｍｅｒｏｌｏｇｙに対応するスケジューリングオフセット閾値を、前記現在使用されているスケジューリングオフセット閾値とし、或いは
前記ＰＤＳＣＨの所在するキャリアの前記ｎｕｍｅｒｏｌｏｇｙに対応するスケジューリングオフセット閾値を、前記現在使用されているスケジューリングオフセット閾値とし、或いは
前記ＰＤＣＣＨ又は前記ＰＤＳＣＨの所在するキャリアの前記ｎｕｍｅｒｏｌｏｇｙにおける最大又は最小のサブキャリア間隔に対応するスケジューリングオフセット閾値を、前記現在使用されているスケジューリングオフセット閾値とすることを含み、
前記ｎｕｍｅｒｏｌｏｇｙがＢＷＰに基づいて設定される場合に、前記予め設定されたルールは、
前記ＰＤＣＣＨの所在するＢＷＰの前記ｎｕｍｅｒｏｌｏｇｙに対応するスケジューリングオフセット閾値を、前記現在使用されているスケジューリングオフセット閾値とし、或いは
前記ＰＤＳＣＨの所在するＢＷＰの前記ｎｕｍｅｒｏｌｏｇｙに対応するスケジューリングオフセット閾値を、前記現在使用されているスケジューリングオフセット閾値とし、或いは
前記ＰＤＣＣＨ又は前記ＰＤＳＣＨの所在するＢＷＰの前記ｎｕｍｅｒｏｌｏｇｙにおける最大又は最小のサブキャリア間隔に対応するスケジューリングオフセット閾値を、前記現在使用されているスケジューリングオフセット閾値とすることを含み、
前記ｎｕｍｅｒｏｌｏｇｙは、サブキャリア間隔を含む、請求項１に記載のスケジューリングパラメータの決定方法。
【請求項３】
前記予め設定されたルールに基づいて現在使用されているスケジューリングオフセット閾値を決定することの後に、
前記ＰＤＣＣＨの受信時間と前記ＰＤＣＣＨによりスケジュールされるＰＤＳＣＨの受信時間との時間オフセットを、前記現在使用されているスケジューリングオフセット閾値と比較し、比較結果に基づいて、前記ＰＤＳＣＨの疑似コロケーション（ＱＣＬ）情報を決定することと、
前記ＰＤＳＣＨのＱＣＬ情報に基づいて、前記ＰＤＳＣＨを受信することと、をさらに含む、請求項１に記載のスケジューリングパラメータの決定方法。
【請求項４】
前記予め設定されたルールに基づいて現在使用されているスケジューリングオフセット閾値を決定することの前に、
前記端末が前記ＰＤＣＣＨを受信してから前記ＰＤＣＣＨにおけるダウンリンク制御情報（ＤＣＩ）によって指示されるＱＣＬ情報を前記ＰＤＣＣＨによりスケジュールされるＰＤＳＣＨに適用するまでに要する最小シンボル数である、前記端末がサポートしている一部又は全部サブキャリア間隔の時間オフセット情報を含む前記端末の能力パラメータ情報をネットワーク側装置に報告することと、
前記時間オフセット情報に基づいて得られる、前記端末が報告したサブキャリア間隔に対応するスケジューリングオフセット閾値を含む設定情報を前記ネットワーク側装置から受信することと、
所在するキャリア及び／又はＢＷＰが前記ネットワーク側装置により設定される前記ＰＤＣＣＨを前記ネットワーク側装置から受信することと、
前記ＰＤＣＣＨにおけるＤＣＩに基づいて、前記ＰＤＳＣＨを受信するキャリア及び／又はＢＷＰを決定することと、をさらに含み、
前記予め設定されたルールに基づいて現在使用されているスケジューリングオフセット閾値を決定することは、
前記設定情報と、前記予め設定されたルールと、前記ＰＤＣＣＨ及び前記ＰＤＳＣＨを受信するキャリア及び／又はＢＷＰとに基づいて、前記現在使用されているスケジューリングオフセット閾値を決定することを含む、請求項１に記載のスケジューリングパラメータの決定方法。
【請求項５】
前記ＰＤＣＣＨと前記ＰＤＣＣＨによりスケジュールされるＰＤＳＣＨとの所在するキャリア又は所在するＢＷＰのｎｕｍｅｒｏｌｏｇｙが同じである場合に、同じ前記ｎｕｍｅｒｏｌｏｇｙに対応するスケジューリングオフセット閾値を、前記現在使用されているスケジューリングオフセット閾値とすることをさらに含む、請求項１に記載のスケジューリングパラメータの決定方法。
【請求項６】
前記能力パラメータ情報は、
前記端末がキャリアアグリゲーションにおいて同じｎｕｍｅｒｏｌｏｇｙのクロスキャリアスケジューリングをサポートするか否か、
前記端末がキャリアアグリゲーションにおいて異なるｎｕｍｅｒｏｌｏｇｙのクロスキャリアスケジューリングをサポートするか否か、
前記端末が同じｎｕｍｅｒｏｌｏｇｙのクロスＢＷＰスケジューリングをサポートするか否か、及び
前記端末が異なるｎｕｍｅｒｏｌｏｇｙのクロスＢＷＰスケジューリングをサポートするか否かのうちの少なくとも１つをさらに含む、請求項４に記載のスケジューリングパラメータの決定方法。
【請求項７】
ネットワーク側装置に適用されるスケジューリングパラメータの設定方法であって、
物理ダウンリンク制御チャネル（ＰＤＣＣＨ）と前記ＰＤＣＣＨによりスケジュールされる物理ダウンリンク共有チャネル（ＰＤＳＣＨ）との所在するキャリア又は所在する帯域幅部分（ＢＷＰ）の数値設定（ｎｕｍｅｒｏｌｏｇｙ）が異なる場合に、端末が予め設定されたルールに基づいて現在使用されているスケジューリングオフセット閾値を決定するように、前記端末に前記予め設定されたルールを送信することを含む、スケジューリングパラメータの決定方法。
【請求項８】
前記ｎｕｍｅｒｏｌｏｇｙがキャリアに基づいて設定される場合に、前記予め設定されたルールは、
前記ＰＤＣＣＨの所在するキャリアの前記ｎｕｍｅｒｏｌｏｇｙに対応するスケジューリングオフセット閾値を、前記現在使用されているスケジューリングオフセット閾値とし、或いは
前記ＰＤＳＣＨの所在するキャリアの前記ｎｕｍｅｒｏｌｏｇｙに対応するスケジューリングオフセット閾値を、前記現在使用されているスケジューリングオフセット閾値とし、或いは
前記ＰＤＣＣＨ又は前記ＰＤＳＣＨの所在するキャリアの前記ｎｕｍｅｒｏｌｏｇｙにおける最大又は最小のサブキャリア間隔に対応するスケジューリングオフセット閾値を、前記現在使用されているスケジューリングオフセット閾値とすることを含み、
前記ｎｕｍｅｒｏｌｏｇｙがＢＷＰに基づいて設定される場合に、前記予め設定されたルールは、
前記ＰＤＣＣＨの所在するＢＷＰの前記ｎｕｍｅｒｏｌｏｇｙに対応するスケジューリングオフセット閾値を、前記現在使用されているスケジューリングオフセット閾値とし、或いは
前記ＰＤＳＣＨの所在するＢＷＰの前記ｎｕｍｅｒｏｌｏｇｙに対応するスケジューリングオフセット閾値を、前記現在使用されているスケジューリングオフセット閾値とし、或いは
前記ＰＤＣＣＨ又は前記ＰＤＳＣＨの所在するＢＷＰの前記ｎｕｍｅｒｏｌｏｇｙにおける最大又は最小のサブキャリア間隔に対応するスケジューリングオフセット閾値を、前記現在使用されているスケジューリングオフセット閾値とすることを含み、
前記ｎｕｍｅｒｏｌｏｇｙは、サブキャリア間隔を含む、請求項７に記載のスケジューリングパラメータの決定方法。
【請求項９】
前記端末が前記ＰＤＣＣＨを受信してから前記ＰＤＣＣＨにおけるダウンリンク制御情報（ＤＣＩ）によって指示される疑似コロケーション（ＱＣＬ）情報を前記ＰＤＣＣＨによりスケジュールされるＰＤＳＣＨに適用するまでに要する最小シンボル数である、前記端末がサポートしている一部又は全部サブキャリア間隔の時間オフセット情報を含む前記端末の能力パラメータ情報を受信することと、
前記時間オフセット情報に基づいて得られる、前記端末が報告したサブキャリア間隔に対応するスケジューリングオフセット閾値を含む設定情報を前記端末に送信することと、
所在するキャリア及び／又はＢＷＰが前記ネットワーク側装置により設定される前記ＰＤＣＣＨを前記端末に送信することと、
前記ＰＤＣＣＨによりスケジュールされるＰＤＳＣＨを前記端末に送信することと、をさらに含む、請求項７に記載のスケジューリングパラメータの決定方法。
【請求項１０】
物理ダウンリンク制御チャネル（ＰＤＣＣＨ）と前記ＰＤＣＣＨによりスケジュールされるＰＤＳＣＨとの所在するキャリア又は所在するＢＷＰのｎｕｍｅｒｏｌｏｇｙが異なる場合に、予め設定されたルールに基づいて現在使用されているスケジューリングオフセット閾値を決定する第１の決定モジュールを含む、端末。
【請求項１１】
前記ｎｕｍｅｒｏｌｏｇｙがキャリアに基づいて設定される場合に、前記予め設定されたルールは、
前記ＰＤＣＣＨの所在するキャリアの前記ｎｕｍｅｒｏｌｏｇｙに対応するスケジューリングオフセット閾値を、前記現在使用されているスケジューリングオフセット閾値とし、或いは
前記ＰＤＳＣＨの所在するキャリアの前記ｎｕｍｅｒｏｌｏｇｙに対応するスケジューリングオフセット閾値を、前記現在使用されているスケジューリングオフセット閾値とし、或いは
前記ＰＤＣＣＨ又は前記ＰＤＳＣＨの所在するキャリアの前記ｎｕｍｅｒｏｌｏｇｙにおける最大又は最小のサブキャリア間隔に対応するスケジューリングオフセット閾値を、前記現在使用されているスケジューリングオフセット閾値とすることを含み、
前記ｎｕｍｅｒｏｌｏｇｙがＢＷＰに基づいて設定される場合に、前記予め設定されたルールは、
前記ＰＤＣＣＨの所在するＢＷＰの前記ｎｕｍｅｒｏｌｏｇｙに対応するスケジューリングオフセット閾値を、前記現在使用されているスケジューリングオフセット閾値とし、或いは
前記ＰＤＳＣＨの所在するＢＷＰの前記ｎｕｍｅｒｏｌｏｇｙに対応するスケジューリングオフセット閾値を、前記現在使用されているスケジューリングオフセット閾値とし、或いは
前記ＰＤＣＣＨ又は前記ＰＤＳＣＨの所在するＢＷＰの前記ｎｕｍｅｒｏｌｏｇｙにおける最大又は最小のサブキャリア間隔に対応するスケジューリングオフセット閾値を、前記現在使用されているスケジューリングオフセット閾値とすることを含み、
前記ｎｕｍｅｒｏｌｏｇｙは、サブキャリア間隔を含む、請求項１０に記載の端末。
【請求項１２】
前記ＰＤＣＣＨの受信時間と前記ＰＤＣＣＨによりスケジュールされるＰＤＳＣＨの受信時間との時間オフセットを、前記現在使用されているスケジューリングオフセット閾値と比較し、比較結果に基づいて、前記ＰＤＳＣＨの疑似コロケーション（ＱＣＬ）情報を決定する第２の決定モジュールと、
前記ＰＤＳＣＨのＱＣＬ情報に基づいて、前記ＰＤＳＣＨを受信する第１の受信モジュールと、をさらに含む、請求項１０に記載の端末。
【請求項１３】
前記端末が前記ＰＤＣＣＨを受信してから前記ＰＤＣＣＨにおけるダウンリンク制御情報（ＤＣＩ）によって指示されるＱＣＬ情報を前記ＰＤＣＣＨによりスケジュールされるＰＤＳＣＨに適用するまでに要する最小シンボル数である、前記端末がサポートしている一部又は全部サブキャリア間隔の時間オフセット情報を含む前記端末の能力パラメータ情報をネットワーク側装置に報告する報告モジュールと、
前記時間オフセット情報に基づいて得られる、前記端末が報告したサブキャリア間隔に対応するスケジューリングオフセット閾値を含む設定情報を前記ネットワーク側装置から受信する第２の受信モジュールと、
所在するキャリア及び／又はＢＷＰが前記ネットワーク側装置により設定される前記ＰＤＣＣＨを前記ネットワーク側装置から受信する第３の受信モジュールと、
前記ＰＤＣＣＨにおけるＤＣＩに基づいて、前記ＰＤＳＣＨを受信するキャリア及び／又はＢＷＰを決定する第３の決定モジュールと、をさらに含み、
前記第１の決定モジュールは、前記設定情報と、前記予め設定されたルールと、前記ＰＤＣＣＨ及び前記ＰＤＳＣＨを受信するキャリア及び／又はＢＷＰとに基づいて、前記現在使用されているスケジューリングオフセット閾値を決定する、請求項１０に記載の端末。
【請求項１４】
前記ＰＤＣＣＨと前記ＰＤＣＣＨによりスケジュールされるＰＤＳＣＨとの所在するキャリア又は所在するＢＷＰのｎｕｍｅｒｏｌｏｇｙが同じである場合に、同じ前記ｎｕｍｅｒｏｌｏｇｙに対応するスケジューリングオフセット閾値を、前記現在使用されているスケジューリングオフセット閾値とする第４の決定モジュールをさらに含む、請求項１０に記載の端末。
【請求項１５】
ＰＤＣＣＨと前記ＰＤＣＣＨによりスケジュールされる物理ダウンリンク共有チャネル（ＰＤＳＣＨ）との所在するキャリア又は所在する帯域幅部分（ＢＷＰ）の数値設定（ｎｕｍｅｒｏｌｏｇｙ）が異なる場合に、端末が予め設定されたルールに基づいて現在使用されているスケジューリングオフセット閾値を決定するように、前記端末に前記予め設定されたルールを送信する第１の送信モジュールを含む、ネットワーク側装置。
【請求項１６】
前記ｎｕｍｅｒｏｌｏｇｙがキャリアに基づいて設定される場合に、前記予め設定されたルールは、
前記ＰＤＣＣＨの所在するキャリアの前記ｎｕｍｅｒｏｌｏｇｙに対応するスケジューリングオフセット閾値を、前記現在使用されているスケジューリングオフセット閾値とし、或いは
前記ＰＤＳＣＨの所在するキャリアの前記ｎｕｍｅｒｏｌｏｇｙに対応するスケジューリングオフセット閾値を、前記現在使用されているスケジューリングオフセット閾値とし、或いは
前記ＰＤＣＣＨ又は前記ＰＤＳＣＨの所在するキャリアの前記ｎｕｍｅｒｏｌｏｇｙにおける最大又は最小のサブキャリア間隔に対応するスケジューリングオフセット閾値を、前記現在使用されているスケジューリングオフセット閾値とすることを含み、
前記ｎｕｍｅｒｏｌｏｇｙがＢＷＰに基づいて設定される場合に、前記予め設定されたルールは、
前記ＰＤＣＣＨの所在するＢＷＰの前記ｎｕｍｅｒｏｌｏｇｙに対応するスケジューリングオフセット閾値を、前記現在使用されているスケジューリングオフセット閾値とし、或いは
前記ＰＤＳＣＨの所在するＢＷＰの前記ｎｕｍｅｒｏｌｏｇｙに対応するスケジューリングオフセット閾値を、前記現在使用されているスケジューリングオフセット閾値とし、或いは
前記ＰＤＣＣＨ又は前記ＰＤＳＣＨの所在するＢＷＰの前記ｎｕｍｅｒｏｌｏｇｙにおける最大又は最小のサブキャリア間隔に対応するスケジューリングオフセット閾値を、前記現在使用されているスケジューリングオフセット閾値とすることを含み、
前記ｎｕｍｅｒｏｌｏｇｙは、サブキャリア間隔を含む、請求項１５に記載のネットワーク側装置。
【請求項１７】
前記端末が前記ＰＤＣＣＨを受信してから前記ＰＤＣＣＨにおけるダウンリンク制御情報（ＤＣＩ）によって指示される疑似コロケーション（ＱＣＬ）情報を前記ＰＤＣＣＨによりスケジュールされるＰＤＳＣＨに適用するまでに要する最小シンボル数である、前記端末がサポートしている一部又は全部サブキャリア間隔の時間オフセット情報を含む前記端末の能力パラメータ情報を受信する受信モジュールと、
前記時間オフセット情報に基づいて得られる、前記端末が報告したサブキャリア間隔に対応するスケジューリングオフセット閾値を含む設定情報を前記端末に送信する第２の送信モジュールと、
所在するキャリア及び／又はＢＷＰが前記ネットワーク側装置により設定される前記ＰＤＣＣＨを前記端末に送信する第３の送信モジュールと、
前記ＰＤＣＣＨによりスケジュールされるＰＤＳＣＨを前記端末に送信する第４の送信モジュールと、
をさらに含む、請求項１５に記載のネットワーク側装置。
【国際調査報告】
2021523656.tif 000013
2021523656.tif 000014
2021523656.tif 000015
2021523656.tif 000016